(57)【要約】  本発明の実施例は、無線ネットワーク情報管理方法及びネットワーク装置を開示する。無線ネットワーク情報管理方法が開示され、ここで、当該方法は、ユーザ装置ＵＥが第１のモビリティ管理ユニットに存在すると決定し、第１のモビリティ管理ユニットにおけるＵＥの測定統計情報に従って第１のモビリティ管理ユニットの無線ネットワーク情報を決定することを有する。従って、セルにおける無線ネットワーク情報を取得及び管理する粒度がモビリティ管理ユニット毎であることが実現され、複雑なセルカバレッジ環境について、セルの異なるエリア間の近傍セルに関する相違及びセルの異なるエリア間の干渉に関する相違が指定される。本発明の実施例は更にネットワーク装置を開示する。
2016518082.tif 000002
【特許請求の範囲】
【請求項１】
無線ネットワーク情報管理方法であって、当該方法は、
ユーザ装置ＵＥが第１のモビリティ管理ユニットに存在すると決定するステップであって、前記第１のモビリティ管理ユニットは第１のセルを分割することにより取得されるエリアである、決定するステップと、
前記第１のモビリティ管理ユニットにおける前記ＵＥの測定統計情報に従って前記第１のモビリティ管理ユニットの無線ネットワーク情報を決定するステップであって、前記無線ネットワーク情報は、以下の情報の少なくとも１つのタイプ、前記第１のモビリティ管理ユニットにおける前記第１のセルの信号強度情報、前記第１のモビリティ管理ユニットにおける前記第１のセルの少なくとも１つの近傍セルの信号強度情報、又は前記第１のモビリティ管理ユニットにおける少なくとも１つのキー・パフォーマンス・インジケータＫＰＩの統計値を有する、決定するステップと、
を有する方法。
【請求項２】
前記第１のモビリティ管理ユニットは、前記第１のセルの地理的位置情報に従って前記第１のセルを分割することによって取得されるエリアであり、
前記ＵＥが第１のモビリティ管理ユニットに存在すると決定するステップは、
前記ＵＥが配置される地理的位置が前記第１のモビリティ管理ユニットの地理的範囲内にある場合、前記ＵＥが前記第１のモビリティ管理ユニットに存在すると決定するステップを有する、請求項１記載の方法。
【請求項３】
前記第１のモビリティ管理ユニットは、第１のセルセットにおけるセルの信号強度特性に従って前記第１のセルを分割することにより取得されるエリアであり、前記第１のセルセットは前記第１のセルを少なくとも有し、
前記ＵＥが第１のモビリティ管理ユニットに存在すると決定するステップは、
前記第１のセルセットにおけるセルのものであって、前記ＵＥから取得される信号強度に従って、前記ＵＥが前記第１のモビリティ管理ユニットに存在すると決定するステップを有する、請求項１記載の方法。
【請求項４】
前記第１のセルセットは更に、前記第１のセルの近傍セルを有する、請求項３記載の方法。
【請求項５】
前記第１のセルセットにおけるセルの信号強度特性は、前記第１のセルセットにおけるセルの信号強度範囲を有し、
前記第１のセルセットにおけるセルのものであって、前記第１のセルにおける前記ＵＥから取得される信号強度に従って、前記ＵＥが前記第１のモビリティ管理ユニットに存在すると決定するステップは、
前記第１のセルセットにおけるセルのものであって、前記ＵＥから取得される信号強度が前記第１のモビリティ管理ユニットの前記第１のセルセットにおける対応するセルの信号強度範囲内である場合、前記ＵＥが前記第１のモビリティ管理ユニットに存在すると決定するステップを有する、請求項３又は４記載の方法。
【請求項６】
前記第１のセルセットにおけるセルの信号強度特性は、前記第１のセルセットにおけるセルの信号強度比較関係を有し、
前記第１のセルセットにおけるセルのものであって、前記第１のセルにおける前記ＵＥから取得される信号強度に従って、前記ＵＥが前記第１のモビリティ管理ユニットに存在すると決定するステップは、
前記第１のセルセットにおけるセルのものであって、前記ＵＥから取得された信号強度の比較関係が前記第１のモビリティ管理ユニットの前記第１のセルセットにおける対応するセルの信号強度比較関係を充たす場合、前記ＵＥが前記第１のモビリティ管理ユニットに存在すると決定するステップを有する、請求項３又は４記載の方法。
【請求項７】
前記第１のセルセットにおけるセルの信号強度特性は、前記第１のセルセットにおけるセルの信号強度範囲と、前記第１のセルセットにおけるセルの信号強度比較関係とを有し、
前記第１のセルセットにおけるセルのものであって、前記第１のセルにおける前記ＵＥから取得される信号強度に従って、前記ＵＥが前記第１のモビリティ管理ユニットに存在すると決定するステップは、
前記第１のセルセットにおけるセルのものであって、前記ＵＥから取得される信号強度が前記第１のモビリティ管理ユニットの前記第１のセルセットにおける対応するセルの信号強度範囲内であって、且つ前記第１のセルセットにおけるセルのものであって、前記ＵＥから取得された信号強度の比較関係が前記第１のモビリティ管理ユニットの前記第１のセルセットにおける対応するセルの信号強度比較関係を充たす場合、前記ＵＥが前記第１のモビリティ管理ユニットに存在すると決定するステップを有する、請求項３又は４記載の方法。
【請求項８】
前記ＫＰＩは、以下の少なくとも１つ、コールドロップ率、チャネル利用率、ハンドオーバ成功率又はアクセス成功率を有する、請求項１乃至７何れか一項記載の方法。
【請求項９】
当該方法は更に、
前記第１のモビリティ管理ユニットが第２のモビリティ管理ユニットを有すると決定するステップであって、前記第２のモビリティ管理ユニットは第２のセルを分割することにより取得されるエリアである、決定するステップと、
前記第２のモビリティ管理ユニットの無線ネットワーク情報と前記第１のモビリティ管理ユニットの無線ネットワーク情報とを合成するステップと、
を有する、請求項１乃至８何れか一項記載の方法。
【請求項１０】
前記第２のセル及び前記第１のセルは、異なるシステムに属するセルである、請求項９記載の方法。
【請求項１１】
前記第２のモビリティ管理ユニットは、以下の方式で前記第２のセルを分割することにより取得され、
前記第２のモビリティ管理ユニットは、前記第２のセルの地理的位置情報に従って前記第２のセルを分割することにより取得されるエリアであるか、又は、前記第２のモビリティ管理ユニットは、第２のセルセットにおけるセルの信号強度特性に従って前記第２のセルを分割することにより取得されるエリアであり、前記第２のセルセットは前記第２のセルを少なくとも有する、請求項９又は１０記載の方法。
【請求項１２】
当該方法は更に、
前記第１のモビリティ管理ユニットの無線ネットワーク情報に従って無線リソース管理を実行するステップを有する、請求項１乃至１１何れか一項記載の方法。
【請求項１３】
無線ネットワーク情報管理方法であって、当該方法は、
ユーザ装置ＵＥが、第１のセルにおけるネットワーク装置の制御情報を受信するステップであって、前記制御メッセージは、前記ＵＥが配置される第１のモビリティ管理ユニットの無線ネットワーク情報に従って前記ネットワーク装置により決定され、前記第１のモビリティ管理ユニットは前記第１のセルを分割することにより取得されるエリアであり、前記第１のモビリティ管理ユニットの無線ネットワーク情報は、以下の情報の少なくとも１つのタイプ、前記第１のモビリティ管理ユニットにおける前記第１のセルの信号強度情報、前記第１のモビリティ管理ユニットにおける前記第１のセルの少なくとも１つの近傍セルの信号強度情報、又は前記第１のモビリティ管理ユニットにおける少なくとも１つのキー・パフォーマンス・インジケータＫＰＩの統計値を有する、受信するステップと、
前記ＵＥが、前記制御情報に従って前記第１のセル又は前記第１のセルの近傍セルにおいてアクセス又はハンドオーバを完了するステップと、
を有する方法。
【請求項１４】
前記第１のモビリティ管理ユニットは、前記第１のセルの地理的位置情報に従って前記第１のセルを分割することにより前記ネットワーク装置によって取得されるエリアである、請求項１３記載の方法。
【請求項１５】
前記第１のモビリティ管理ユニットは、第１のセルセットにおけるセルの信号強度特性に従って前記第１のセルを分割することにより前記ネットワーク装置によって取得されるエリアであり、前記第１のセルセットは前記第１のセルを少なくとも有する、請求項１３記載の方法。
【請求項１６】
前記第１のセルセットは更に、前記第１のセルの近傍セルを有する、請求項１５記載の方法。
【請求項１７】
前記第１のセルセットにおけるセルの信号強度特性は、以下の少なくとも１つ、前記第１のセルセットにおけるセルの信号強度範囲、又は前記第１のセルセットにおけるセルの信号強度比較関係を有する、請求項１５又は１６記載の方法。
【請求項１８】
ネットワーク装置であって、当該ネットワーク装置は、
ユーザ装置ＵＥが第１のモビリティ管理ユニットに存在すると決定するよう構成される第１の決定ユニットであって、前記第１のモビリティ管理ユニットは第１のセルを分割することにより取得されるエリアである、第１の決定ユニットと、
前記第１のモビリティ管理ユニットにおける前記ＵＥの測定統計情報に従って前記第１のモビリティ管理ユニットの無線ネットワーク情報を決定するよう構成される第２の決定ユニットであって、前記無線ネットワーク情報は、以下の情報の少なくとも１つのタイプ、前記第１のモビリティ管理ユニットにおける前記第１のセルの信号強度情報、前記第１のモビリティ管理ユニットにおける前記第１のセルの少なくとも１つの近傍セルの信号強度情報、又は前記第１のモビリティ管理ユニットにおける少なくとも１つのキー・パフォーマンス・インジケータＫＰＩの統計値を有する、第２の決定ユニットと、
を有するネットワーク装置。
【請求項１９】
前記第１のモビリティ管理ユニットは、前記第１のセルの地理的位置情報に従って前記第１のセルを分割することによって取得されるエリアであり、
前記第１の決定ユニットは、具体的には、少なくとも１つのＵＥが配置される地理的位置が前記第１のモビリティ管理ユニットの地理的範囲内にある場合、前記ＵＥが前記第１のモビリティ管理ユニットに存在すると決定するよう構成される、請求項１８記載のネットワーク装置。
【請求項２０】
前記第１のモビリティ管理ユニットは、第１のセルセットにおけるセルの信号強度特性に従って前記第１のセルを分割することにより取得されるエリアであり、前記第１のセルセットは前記第１のセルを少なくとも有し、
前記第１の決定ユニットは、具体的には、前記第１のセルセットにおけるセルのものであって、前記ＵＥから取得される信号強度に従って、前記ＵＥが前記第１のモビリティ管理ユニットに存在すると決定するよう構成される、請求項１８記載のネットワーク装置。
【請求項２１】
前記第１のセルセットは更に、前記第１のセルの近傍セルを有する、請求項２０記載のネットワーク装置。
【請求項２２】
前記第１のセルセットにおけるセルの信号強度特性は、前記第１のセルセットにおけるセルの信号強度範囲を有し、
前記第１の決定ユニットは、具体的には、前記第１のセルセットにおけるセルのものであって、少なくとも１つのＵＥから取得される信号強度がそれぞれ前記第１のモビリティ管理ユニットの前記第１のセルセットにおける対応するセルの信号強度範囲内である場合、前記ＵＥが前記第１のモビリティ管理ユニットに存在すると決定するよう構成される、請求項２０又は２１記載のネットワーク装置。
【請求項２３】
前記第１のセルセットにおけるセルの信号強度特性は、前記第１のセルセットにおけるセルの信号強度比較関係を有し、
前記第１の決定ユニットは、具体的には、
前記第１のセルセットにおけるセルのものであって、少なくとも１つのＵＥから取得された信号強度の比較関係が前記第１のモビリティ管理ユニットの前記第１のセルセットにおける対応するセルの信号強度比較関係を充たす場合、前記ＵＥが前記第１のモビリティ管理ユニットに存在すると決定するよう構成される、請求項２１記載のネットワーク装置。
【請求項２４】
前記第１のセルセットにおけるセルの信号強度特性は、前記第１のセルセットにおけるセルの信号強度範囲と、前記第１のセルセットにおけるセルの信号強度比較関係とを有し、
前記第１の決定ユニットは、具体的には、
前記第１のセルセットにおけるセルのものであって、少なくとも１つのＵＥから取得される信号強度がそれぞれ前記第１のモビリティ管理ユニットの前記第１のセルセットにおける対応するセルの信号強度範囲内であって、且つ前記第１のセルセットにおけるセルのものであって、前記少なくとも１つのＵＥから取得された信号強度の比較関係が前記第１のモビリティ管理ユニットの前記第１のセルセットにおける対応するセルの信号強度比較関係を充たす場合、前記ＵＥが前記第１のモビリティ管理ユニットに存在すると決定するよう構成される、請求項２１記載のネットワーク装置。
【請求項２５】
前記ＫＰＩは、以下の少なくとも１つ、コールドロップ率、チャネル利用率、ハンドオーバ成功率又はアクセス成功率を有する、請求項１８乃至２４何れか一項記載のネットワーク装置。
【請求項２６】
当該ネットワーク装置は更に、
前記第１のモビリティ管理ユニットが第２のモビリティ管理ユニットを有すると決定するよう構成される第３の決定ユニットであって、前記第２のモビリティ管理ユニットは第２のセルを分割することにより取得されるエリアである、第３の決定ユニットと、
前記第２のモビリティ管理ユニットの無線ネットワーク情報と前記第１のモビリティ管理ユニットの無線ネットワーク情報とを合成するよう構成される情報合成ユニットと、
を有する、請求項１８乃至２５何れか一項記載のネットワーク装置。
【請求項２７】
前記第２のセル及び前記第１のセルは、異なるシステムに属するセルである、請求項２６記載のネットワーク装置。
【請求項２８】
前記第２のモビリティ管理ユニットは、以下の方式で前記第２のセルを分割することにより取得され、
前記第２のモビリティ管理ユニットは、前記第２のセルの地理的位置情報に従って前記第２のセルを分割することにより取得されるエリアであるか、又は、前記第２のモビリティ管理ユニットは、第２のセルセットにおけるセルの信号強度特性に従って分割することにより取得されるエリアであり、前記第２のセルセットは前記第２のセルを少なくとも有する、請求項２６又は２７記載のネットワーク装置。
【請求項２９】
当該ネットワーク装置は更に、
前記第１のモビリティ管理ユニットの無線ネットワーク情報に従って無線リソース管理を実行するよう構成されるリソース管理ユニットを有する、請求項１８乃至２８何れか一項記載のネットワーク装置。
【請求項３０】
当該ネットワーク装置は、以下の少なくとも１つ、無線ネットワークコントローラＲＮＣ、基地局コントローラＢＳＣ、進化型ノードＢｅＮｏｄｅＢ、アクセスコントローラＡＣ又は集中制御装置を有する、請求項１８乃至２９何れか一項記載のネットワーク装置。
【請求項３１】
ユーザ装置ＵＥであって、当該ユーザ装置ＵＥは、
ネットワーク装置の制御情報を受信するよう構成される受信ユニットと、
第１のセルにおいて前記受信ユニットにより受信された制御情報に従って前記第１のセル又は前記第１のセルの近傍セルにおけるアクセス又はハンドオーバを完了するよう構成される処理ユニットであって、前記制御メッセージは、前記ＵＥが配置される第１のモビリティ管理ユニットの無線ネットワーク情報に従って前記ネットワーク装置により決定され、前記第１のモビリティ管理ユニットの無線ネットワーク情報は、以下の情報の少なくとも１つのタイプ、前記第１のモビリティ管理ユニットにおける前記第１のセルの信号強度情報、前記第１のモビリティ管理ユニットにおける前記第１のセルの少なくとも１つの近傍セルの信号強度情報、又は前記第１のモビリティ管理ユニットにおける少なくとも１つのキー・パフォーマンス・インジケータＫＰＩの統計値を有する、処理ユニットと、
を有するユーザ装置。
【請求項３２】
前記第１のモビリティ管理ユニットは、前記第１のセルの地理的位置情報に従って前記第１のセルを分割することにより前記ネットワーク装置によって取得されるエリアである、請求項３１記載のユーザ装置。
【請求項３３】
前記第１のモビリティ管理ユニットは、第１のセルセットにおけるセルの信号強度特性に従って分割することにより前記ネットワーク装置によって取得されるエリアであり、前記第１のセルセットは前記第１のセルを少なくとも有する、請求項３１記載のユーザ装置。
【請求項３４】
前記第１のセルセットは更に、前記第１のセルの近傍セルを有する、請求項３３記載のユーザ装置。
【請求項３５】
前記第１のセルセットにおけるセルの信号強度特性は、以下の少なくとも１つ、前記第１のセルセットにおけるセルの信号強度範囲、又は前記第１のセルセットにおけるセルの信号強度比較関係を有する、請求項３３又は３４記載のユーザ装置。
【発明の詳細な説明】
【技術分野】
【０００１】
本発明の実施例は、通信分野に関し、特に無線ネットワーク情報管理方法及びネットワーク装置に関する。
【背景技術】
【０００２】
インテリジェント端末の普及によって、大量のサービスがモバイルブロードバンド（Ｍｏｂｉｌｅ  Ｂｒｏａｄｂａｎｄ，ＭＭＢ）の活発な発展を駆動し、ネットワークトラフィックが爆発的に増加している。将来における容量増加の要求を充足し、ネットワーク構造を変更及び最適化し、複数の周波数帯域、複数の規格及び複数の形態によるマルチレイヤヘテロジーニアスネットワーク（Ｈｅｔｅｒｏｇｅｎｅｏｕｓ  Ｎｅｔｗｏｒｋ，ＨｅｔＮｅｔ）を構築することが、将来におけるネットワークの発展のために必要になる。
【０００３】
Ｈｅｔｎｅｔにおけるマクロセル又はマイクロセルであるセルのカバレッジエリアは大きい。例えば、マクロセルのカバレッジ半径は５００メータから２５キロメータである一方、マイクロセルのカバレッジ半径は約３０メータから３００メータである。高い建物からの屈折／ブロック、周波数内リピータ、及び周波数内マクロ及びマイクロハイブリッドネットワークなどの無線環境の複雑さのため、セルの異なるエリアに対する差別的管理を実行することは困難であり、ネットワーク全体のものである最大容量及び最良のキー・パフォーマンス・インジケータ（Ｋｅｙ  Ｐｅｒｆｏｒｍａｎｃｅ  Ｉｎｄｉｃａｔｏｒ，ＫＰＩ）が保証できない。
【発明の概要】
【０００４】
これを鑑み、本発明の実施例は、セルの差別的管理を実現するための無線ネットワーク情報管理方法を提供する。
【０００５】
第１の態様によると、無線ネットワーク情報管理方法が提供され、
ユーザ装置ＵＥが第１のモビリティ管理ユニットに存在すると決定するステップであって、前記第１のモビリティ管理ユニットは第１のセルを分割することにより取得されるエリアである、決定するステップと、
前記第１のモビリティ管理ユニットにおける前記ＵＥの測定統計情報に従って前記第１のモビリティ管理ユニットの無線ネットワーク情報を決定するステップであって、前記無線ネットワーク情報は、以下の情報の少なくとも１つのタイプ、前記第１のモビリティ管理ユニットにおける前記第１のセルの信号強度情報、前記第１のモビリティ管理ユニットにおける前記第１のセルの少なくとも１つの近傍セルの信号強度情報、又は前記第１のモビリティ管理ユニットにおける少なくとも１つのキー・パフォーマンス・インジケータＫＰＩの統計値を有する、決定するステップと、
を有する。
【０００６】
第１の態様の第１の可能な実現方式では、前記第１のモビリティ管理ユニットは、前記第１のセルの地理的位置情報に従って前記第１のセルを分割することによって取得されるエリアであり、前記ＵＥが第１のモビリティ管理ユニットに存在すると決定するステップは、少なくとも１つのＵＥが配置される地理的位置が前記第１のモビリティ管理ユニットの地理的範囲内にある場合、前記ＵＥが前記第１のモビリティ管理ユニットに存在すると決定するステップを有する。
【０００７】
第１の態様の第２の可能な実現方式では、前記第１のモビリティ管理ユニットは、第１のセルセットにおけるセルの信号強度特性に従って前記第１のセルを分割することにより取得されるエリアであり、前記第１のセルセットは前記第１のセルを少なくとも有し、前記ＵＥが第１のモビリティ管理ユニットに存在すると決定するステップは、前記第１のセルセットにおけるセルのものであって、前記ＵＥから取得される信号強度に従って、前記ＵＥが前記第１のモビリティ管理ユニットに存在すると決定するステップを有する。
【０００８】
第１の態様の第２の可能な実現方式を参照して、第１の態様の第３の可能な実現方式では、前記第１のセルセットは更に、前記第１のセルの近傍セルを有する。
【０００９】
第１の態様の第２の可能な実現方式又は第１の態様の第３の可能な実現方式を参照して、第１の態様の第４の可能な実現方式では、前記第１のセルセットにおけるセルの信号強度特性は、前記第１のセルセットにおけるセルの信号強度範囲を有し、前記第１のセルセットにおけるセルのものであって、前記第１のセルにおける前記ＵＥから取得される信号強度に従って、前記ＵＥが前記第１のモビリティ管理ユニットに存在すると決定するステップは、前記第１のセルセットにおけるセルのものであって、少なくとも１つのＵＥから取得される信号強度がそれぞれ前記第１のモビリティ管理ユニットの前記第１のセルセットにおける対応するセルの信号強度範囲内である場合、前記ＵＥが前記第１のモビリティ管理ユニットに存在すると決定するステップを有する。
【００１０】
第１の態様の第３の可能な実現方式を参照して、第１の態様の第５の可能な実現方式では、前記第１のセルセットにおけるセルの信号強度特性は、前記第１のセルセットにおけるセルの信号強度比較関係を有し、
前記第１のセルセットにおけるセルのものであって、前記第１のセルにおける前記ＵＥから取得される信号強度に従って、前記ＵＥが前記第１のモビリティ管理ユニットに存在すると決定するステップは、前記第１のセルセットにおけるセルのものであって、少なくとも１つのＵＥから取得された信号強度の比較関係が前記第１のモビリティ管理ユニットの前記第１のセルセットにおける対応するセルの信号強度比較関係を充たす場合、前記ＵＥが前記第１のモビリティ管理ユニットに存在すると決定するステップを有する。
【００１１】
第１の態様の第３の可能な実現方式を参照して、第１の態様の第６の可能な実現方式では、前記第１のセルセットにおけるセルの信号強度特性は、前記第１のセルセットにおけるセルの信号強度範囲と、前記第１のセルセットにおけるセルの信号強度比較関係とを有し、前記第１のセルセットにおけるセルのものであって、前記第１のセルにおける前記ＵＥから取得される信号強度に従って、前記ＵＥが前記第１のモビリティ管理ユニットに存在すると決定するステップは、前記第１のセルセットにおけるセルのものであって、少なくとも１つのＵＥから取得される信号強度がそれぞれ前記第１のモビリティ管理ユニットの前記第１のセルセットにおける対応するセルの信号強度範囲内であって、且つ前記第１のセルセットにおけるセルのものであって、少なくとも１つのＵＥから取得された信号強度の比較関係が前記第１のモビリティ管理ユニットの前記第１のセルセットにおける対応するセルの信号強度比較関係を充たす場合、前記ＵＥが前記第１のモビリティ管理ユニットに存在すると決定するステップを有する。
【００１２】
第１の態様又は第１の態様の上記の可能な実現方式を参照して、第１の態様の第７の可能な実現方式では、前記ＫＰＩは、以下の少なくとも１つ、コールドロップ率、チャネル利用率、ハンドオーバ成功率又はアクセス成功率を有する。
【００１３】
第１の態様又は第１の態様の上記の可能な実現方式を参照して、第１の態様の第８の可能な実現方式では、当該方法は更に、
前記第１のモビリティ管理ユニットが第２のモビリティ管理ユニットを有すると決定するステップであって、前記第２のモビリティ管理ユニットは第２のセルを分割することにより取得されるエリアである、決定するステップと、
前記第２のモビリティ管理ユニットの無線ネットワーク情報と前記第１のモビリティ管理ユニットの無線ネットワーク情報とを合成するステップと、
を有する。
【００１４】
第１の態様の第８の可能な実現方式を参照して、第１の態様の第９の可能な実現方式では、前記第２のセル及び前記第１のセルは、異なるシステムに属するセルである。
【００１５】
第１の態様の第８の可能な実現方式又は第１の態様の第９の可能な実現方式を参照して、第１の態様の第１０の可能な実現方式では、前記第２のモビリティ管理ユニットは、以下の方式で前記第２のセルを分割することにより取得され、
前記第２のモビリティ管理ユニットは、前記第２のセルの地理的位置情報に従って前記第２のセルを分割することにより取得されるエリアであるか、又は、前記第２のモビリティ管理ユニットは、第２のセルセットにおけるセルの信号強度特性に従って分割することにより取得されるエリアであり、前記第２のセルセットは前記第２のセルを少なくとも有する。
【００１６】
第１の態様又は第１の態様の上記の可能な実現方式を参照して、第１の態様の第１１の可能な実現方式では、当該方法は更に、前記第１のモビリティ管理ユニットの無線ネットワーク情報に従って無線リソース管理を実行するステップを有する。
【００１７】
第２の態様によると、無線ネットワーク情報管理方法が提供され、
ユーザ装置ＵＥが、第１のセルにおけるネットワーク装置の制御情報を受信するステップであって、前記制御メッセージは、前記ＵＥが配置される第１のモビリティ管理ユニットの無線ネットワーク情報に従って前記ネットワーク装置により決定され、前記第１のモビリティ管理ユニットは前記第１のセルを分割することにより取得されるエリアであり、前記第１のモビリティ管理ユニットの無線ネットワーク情報は、以下の情報の少なくとも１つのタイプ、前記第１のモビリティ管理ユニットにおける前記第１のセルの信号強度情報、前記第１のモビリティ管理ユニットにおける前記第１のセルの少なくとも１つの近傍セルの信号強度情報、又は前記第１のモビリティ管理ユニットにおける少なくとも１つのキー・パフォーマンス・インジケータＫＰＩの統計値を有する、受信するステップと、
前記ＵＥが、前記制御情報に従って前記第１のセル又は前記第１のセルの近傍セルにおいてアクセス又はハンドオーバを完了するステップと、
を有する。
【００１８】
第２の態様の第１の可能な実現方式では、前記第１のモビリティ管理ユニットは、前記第１のセルの地理的位置情報に従って前記第１のセルを分割することにより前記ネットワーク装置によって取得されるエリアである。
【００１９】
第２の態様の第２の可能な実現方式では、前記第１のモビリティ管理ユニットは、第１のセルセットにおけるセルの信号強度特性に従って前記第１のセルを分割することにより前記ネットワーク装置によって取得されるエリアであり、前記第１のセルセットは前記第１のセルを少なくとも有する。
【００２０】
第２の態様の第２の可能な実現方式を参照して、第２の態様の第３の可能な実現方式では、前記第１のセルセットは更に、前記第１のセルの近傍セルを有する。
【００２１】
第２の態様の第２の可能な実現方式又は第２の態様の第３の可能な実現方式を参照して、第２の態様の第４の可能な実現方式では、前記第１のセルセットにおけるセルの信号強度特性は、以下の少なくとも１つ、前記第１のセルセットにおけるセルの信号強度範囲、又は前記第１のセルセットにおけるセルの信号強度比較関係を有する。
【００２２】
第３の態様によると、ネットワーク装置が提供され、当該ネットワーク装置は、
ユーザ装置ＵＥが第１のモビリティ管理ユニットに存在すると決定するよう構成される第１の決定ユニットであって、前記第１のモビリティ管理ユニットは第１のセルを分割することにより取得されるエリアである、第１の決定ユニットと、
前記第１のモビリティ管理ユニットにおける前記ＵＥの測定統計情報に従って前記第１のモビリティ管理ユニットの無線ネットワーク情報を決定するよう構成される第２の決定ユニットであって、前記無線ネットワーク情報は、以下の情報の少なくとも１つのタイプ、前記第１のモビリティ管理ユニットにおける前記第１のセルの信号強度情報、前記第１のモビリティ管理ユニットにおける前記第１のセルの少なくとも１つの近傍セルの信号強度情報、又は前記第１のモビリティ管理ユニットにおける少なくとも１つのキー・パフォーマンス・インジケータＫＰＩの統計値を有する、第２の決定ユニットと、
を有する。
【００２３】
第３の態様の第１の可能な実現方式では、前記第１のモビリティ管理ユニットは、前記第１のセルの地理的位置情報に従って前記第１のセルを分割することによって取得されるエリアであり、
前記第１の決定ユニットは、具体的には、少なくとも１つのＵＥが配置される地理的位置が前記第１のモビリティ管理ユニットの地理的範囲内にある場合、前記ＵＥが前記第１のモビリティ管理ユニットに存在すると決定するよう構成される。
【００２４】
第３の態様の第２の可能な実現方式では、前記第１のモビリティ管理ユニットは、第１のセルセットにおけるセルの信号強度特性に従って前記第１のセルを分割することにより取得されるエリアであり、前記第１のセルセットは前記第１のセルを少なくとも有し、
前記第１の決定ユニットは、具体的には、前記第１のセルセットにおけるセルのものであって、前記ＵＥから取得される信号強度に従って、前記ＵＥが前記第１のモビリティ管理ユニットに存在すると決定するよう構成される。
【００２５】
第３の態様の第２の可能な実現方式を参照して、第３の態様の第３の可能な実現方式では、前記第１のセルセットは更に、前記第１のセルの近傍セルを有する。
【００２６】
第３の態様の第２の可能な実現方式又は第３の態様の第３の可能な実現方式を参照して、第３の態様の第４の可能な実現方式では、前記第１のセルセットにおけるセルの信号強度特性は、前記第１のセルセットにおけるセルの信号強度範囲を有し、
前記第１の決定ユニットは、具体的には、前記第１のセルセットにおけるセルのものであって、少なくとも１つのＵＥから取得される信号強度がそれぞれ前記第１のモビリティ管理ユニットの前記第１のセルセットにおける対応するセルの信号強度範囲内である場合、前記ＵＥが前記第１のモビリティ管理ユニットに存在すると決定するよう構成される。
【００２７】
第３の態様の第３の可能な実現方式を参照して、第３の態様の第５の可能な実現方式では、前記第１のセルセットにおけるセルの信号強度特性は、前記第１のセルセットにおけるセルの信号強度比較関係を有し、
前記第１の決定ユニットは、具体的には、前記第１のセルセットにおけるセルのものであって、少なくとも１つのＵＥから取得された信号強度の比較関係が前記第１のモビリティ管理ユニットの前記第１のセルセットにおける対応するセルの信号強度比較関係を充たす場合、前記ＵＥが前記第１のモビリティ管理ユニットに存在すると決定するよう構成される。
【００２８】
第３の態様の第３の可能な実現方式を参照して、第３の態様の第６の可能な実現方式では、前記第１のセルセットにおけるセルの信号強度特性は、前記第１のセルセットにおけるセルの信号強度範囲と、前記第１のセルセットにおけるセルの信号強度比較関係とを有し、前記第１の決定ユニットは、具体的には、前記第１のセルセットにおけるセルのものであって、少なくとも１つのＵＥから取得される信号強度がそれぞれ前記第１のモビリティ管理ユニットの前記第１のセルセットにおける対応するセルの信号強度範囲内であって、且つ前記第１のセルセットにおけるセルのものであって、前記少なくとも１つのＵＥから取得された信号強度の比較関係が前記第１のモビリティ管理ユニットの前記第１のセルセットにおける対応するセルの信号強度比較関係を充たす場合、前記ＵＥが前記第１のモビリティ管理ユニットに存在すると決定するよう構成される。
【００２９】
第３の態様又は第３の態様の上記の可能な実現方式を参照して、第３の態様の第７の可能な実現方式では、前記ＫＰＩは、以下の少なくとも１つ、コールドロップ率、チャネル利用率、ハンドオーバ成功率又はアクセス成功率を有する。
【００３０】
第３の態様又は第３の態様の上記の可能な実現方式を参照して、第３の態様の第８の可能な実現方式では、当該ネットワーク装置は更に、
前記第１のモビリティ管理ユニットが第２のモビリティ管理ユニットを有すると決定するよう構成される第３の決定ユニットであって、前記第２のモビリティ管理ユニットは第２のセルを分割することにより取得されるエリアである、第３の決定ユニットと、
前記第２のモビリティ管理ユニットの無線ネットワーク情報と前記第１のモビリティ管理ユニットの無線ネットワーク情報とを合成するよう構成される情報合成ユニットと、
を有する。
【００３１】
第３の態様の第８の可能な実現方式を参照して、第３の態様の第９の可能な実現方式では、前記第２のセル及び前記第１のセルは、異なるシステムに属するセルである。
【００３２】
第３の態様の第８の可能な実現方式又は第３の態様の第９の可能な実現方式を参照して、第３の態様の第１０の可能な実現方式では、前記第２のモビリティ管理ユニットは、以下の方式で前記第２のセルを分割することにより取得され、
前記第２のモビリティ管理ユニットは、前記第２のセルの地理的位置情報に従って前記第２のセルを分割することにより取得されるエリアであるか、又は、前記第２のモビリティ管理ユニットは、第２のセルセットにおけるセルの信号強度特性に従って前記第２のセルを分割することにより取得されるエリアであり、前記第２のセルセットは前記第２のセルを少なくとも有する。
【００３３】
第３の態様又は第３の態様の上記の可能な実現方式を参照して、第３の態様の第１１の可能な実現方式では、当該ネットワーク装置は更に、前記第１のモビリティ管理ユニットの無線ネットワーク情報に従って無線リソース管理を実行するよう構成されるリソース管理ユニットを有する。
【００３４】
第３の態様又は第３の態様の上記の可能な実現方式を参照して、第３の態様の第１２の可能な実現方式では、当該ネットワーク装置は、以下の少なくとも１つ、無線ネットワークコントローラＲＮＣ、基地局コントローラＢＳＣ、進化型ノードＢｅＮｏｄｅＢ、アクセスコントローラＡＣ又は集中制御装置を有する。
【００３５】
第４の態様によると、ユーザ装置ＵＥが提供され、当該ユーザ装置ＵＥは、
ネットワーク装置の制御情報を受信するよう構成される受信ユニットと、
第１のセルにおいて前記受信ユニットにより受信された制御情報に従って前記第１のセル又は前記第１のセルの近傍セルにおけるアクセス又はハンドオーバを完了するよう構成される処理ユニットであって、前記制御メッセージは、前記ＵＥが配置される第１のモビリティ管理ユニットの無線ネットワーク情報に従って前記ネットワーク装置により決定され、前記第１のモビリティ管理ユニットの無線ネットワーク情報は、以下の情報の少なくとも１つのタイプ、前記第１のモビリティ管理ユニットにおける前記第１のセルの信号強度情報、前記第１のモビリティ管理ユニットにおける前記第１のセルの少なくとも１つの近傍セルの信号強度情報、又は前記第１のモビリティ管理ユニットにおける少なくとも１つのキー・パフォーマンス・インジケータＫＰＩの統計値を有する、処理ユニットと、
を有する。
【００３６】
第４の態様の第１の可能な実現方式では、前記第１のモビリティ管理ユニットは、前記第１のセルの地理的位置情報に従って前記第１のセルを分割することにより前記ネットワーク装置によって取得されるエリアである。
【００３７】
第４の態様の第２の可能な実現方式では、前記第１のモビリティ管理ユニットは、第１のセルセットにおけるセルの信号強度特性に従って前記第１のセルを分割することにより前記ネットワーク装置によって取得されるエリアであり、前記第１のセルセットは前記第１のセルを少なくとも有する。
【００３８】
第４の態様の第２の可能な実現方式を参照して、第４の態様の第３の可能な実現方式では、前記第１のセルセットは更に、前記第１のセルの近傍セルを有する。
【００３９】
第４の態様の第２の可能な実現方式又は第４の態様の第３の可能な実現方式を参照して、第４の態様の第４の可能な実現方式では、前記第１のセルセットにおけるセルの信号強度特性は、以下の少なくとも１つ、前記第１のセルセットにおけるセルの信号強度範囲、又は前記第１のセルセットにおけるセルの信号強度比較関係を有する。
【００４０】
上記の解決策を利用することによって、セルにおいて無線ネットワーク情報を取得及び管理する粒度がモビリティ管理ユニット毎であり、複雑なセルカバレッジ環境について、セルの異なるエリアの間の近傍セルに関する相違及びセルの異なるエリアの間の干渉に関する相違が指定される。
【図面の簡単な説明】
【００４１】
【図１】図１は、本発明の実施例によるネットワーク情報管理方法のフローチャートである。
【図２】図２は、本発明の他の実施例によるネットワーク情報管理方法のフローチャートである。
【図３】図３は、本発明の他の実施例による第１のセルの地理的位置情報による分割によって取得されるモビリティ管理ユニットの概略図である。
【図４】図４は、本発明の他の実施例によるネットワーク情報管理方法のフローチャートである。
【図５】図５は、本発明の他の実施例による第１のセルセットの概略図である。
【図６】図６は、本発明の他の実施例による第１のセルセットにおけるセルの信号強度情報による分割によって取得されるモビリティ管理ユニットの概略図である。
【図７】図７は、本発明の他の実施例による第１のセルセットにおけるセルの信号強度情報による分割により取得されるモビリティ管理ユニットの概略図である。
【図８】図８は、本発明の他の実施例による第１のセルセットにおけるセルの信号強度情報を決定する方法のフローチャートである。
【図９】図９は、本発明の他の実施例によるネットワーク情報管理方法のフローチャートである。
【図１０】図１０は、本発明の他の実施例によるネットワーク装置の構成図である。
【図１１】図１１は、本発明の他の実施例によるユーザ装置ＵＥの構成図である。
【図１２】図１２は、本発明の他の実施例によるネットワーク装置の構成図である。
【図１３】図１３は、本発明の他の実施例によるユーザ装置ＵＥの構成図である。
【発明を実施するための形態】
【００４２】
以下は、本発明の実施例における添付図面を参照して本発明の実施例における技術的解決策を明確且つ完全に説明する。明らかに、説明される実施例は、本発明の実施例の全てでなく単なる一部である。創作的な努力なく本発明の実施例に基づき当業者により取得される他の全ての実施例は、本発明の保護範囲内に属する。
【００４３】
本発明の実施例における方法及びネットワーク装置は、無線ネットワークコントローラ（ｒａｄｉｏ  ｎｅｔｗｏｒｋ  ｃｏｎｔｒｏｌｌｅｒ，略してＲＮＣ）、基地局コントローラ（ｂａｓｅ  ｓｔａｔｉｏｎ  ｃｏｎｔｒｏｌｌｅｒ，略してＢＳＣ）、進化型ノードＢ（ｅｖｏｌｖｅｄ  ｎｏｄｅ  Ｂ，略してｅＮｏｄｅＢ）、又はアクセスコントローラ（ａｃｃｅｓｓ  ｐｏｉｎｔ  ｃｏｎｔｒｏｌｌｅｒ，略してＡＣ）などの集中制御装置又は基地局装置を利用することによって実現されてもよい。集中制御装置は、ＲＮＣ、ＢＳＣ、ｅＮｏｄｅＢ又はＡＣなどの基地局装置に接続されてもよく、複数の規格の通信システムの間で情報を転送及び収集するか、又はユーザ装置（ｕｓｅｒ  ｅｑｕｉｐｍｅｎｔ，ＵＥ）に対する集中制御を実行するのに利用されてもよい。複数の規格の通信システムは、グローバル・システム・フォー・モバイル・コミュニケーションズ（Ｇｌｏｂａｌ  Ｓｙｓｔｅｍ  ｆｏｒ  Ｍｏｂｉｌｅ  ｃｏｍｍｕｎｉｃａｔｉｏｎ，ＧＳＭ）、ユニバーサル・モバイル・テレコミュニケーションズ・システム（Ｕｎｉｖｅｒｓａｌ  Ｍｏｂｉｌｅ  Ｔｅｌｅｃｏｍｍｕｎｉｃａｔｉｏｎｓ  ｓｙｓｔｅｍ，ＵＭＴＳ）、ロング・ターム・エボリューション（Ｌｏｎｇ  Ｔｅｒｍ  Ｅｖｏｌｕｔｉｏｎ，ＬＴＥ）システム、又はＬＴＥの以降のエボリューションシステム、ワイヤレス・ローカル・エリア・ネットワーク（Ｗｉｒｅｌｅｓｓ  Ｌｏｃａｌ  Ａｒｅａ  Ｎｅｔｗｏｒｋ，ＷＬＡＮ）、ＣＤＭＡ、ＷｉＭａｘなどを含むものであってもよい。
【００４４】
図１は、本発明の実施例によるネットワーク情報管理方法のフローチャートである。図１に示されるように、当該方法は以下を有してもよい。
【００４５】
ステップ１０１：ユーザ装置ＵＥが第１のモビリティ管理ユニットに存在すると決定する。
【００４６】
第１のモビリティ管理ユニットは第１のセルを分割することにより取得されるエリアであり、ここで、第１のセルは、例えば、ＧＳＭシステム、ＵＭＴＳシステム又はＬＴＥシステムなどの何れかの規格の通信システムにおけるセルであってもよい。第１のモビリティ管理ユニットのカバレッジエリアは、第１のセルのものより小さいか、又は等しく、第１のセルにおける細分化されたエリアに従ってＵＥに対して差別的モビリティ管理を実行するのに利用されてもよい。
【００４７】
第１のモビリティ管理ユニットは、複数の方式で第１のセルを分割することによって取得されてもよく、第１のモビリティ管理ユニットは、カバーされているエリアのエリア特性を有する。
【００４８】
例えば、第１のモビリティ管理ユニットは、第１のセルの地理的位置情報に従って第１のセルを分割することによって取得されるエリアであってもよい。可能な実現方式では、第１のセルの地理的位置情報は経度区間及び緯度区間であってもよい。少なくとも１つの経度サブ区間及び少なくとも１つの緯度サブ区間は、第１のセルの経度区間及び緯度区間を分割することによって取得される。第１のモビリティ管理ユニットの地理的範囲は、経度サブ区間の１つ及び緯度サブ区間の１つによって決定されてもよい。例えば、第１のモビリティ管理ユニットの地理的範囲は、経度サブ区間（１１６．１２３４５°〜１１６．１２３９５°）及び緯度サブ区間（９０．１２７４６°〜９０．１２８４６°）によって決定されるエリアである。
【００４９】
第１のモビリティ管理ユニットが第１のセルの地理的位置情報に従って第１のセルを分割することによって取得されるエリアである場合に、第１のセルにおける少なくとも１つのＵＥが配置される地理的位置が第１のモビリティ管理ユニットの地理的範囲内にある場合、ＵＥは第１のモビリティ管理ユニットに存在すると決定されてもよい。例えば、第１のモビリティ管理ユニットの地理的範囲が経度サブ区間（１１６．１２３４５°〜１１６．１２３９５°）及び緯度サブ区間（９０．１２７４６°〜９０．１２８４６°）であり、ＵＥの地理的位置が（経度１１６．１２３５０°，緯度９０．１２７５０°）である、すなわち、ＵＥが配置される地理的位置が第１のモビリティ管理ユニットの地理的範囲内である場合、ＵＥは第１のモビリティ管理ユニットに存在すると決定されてもよい。第１のセルにおけるＵＥが配置される地理的位置は、補助グローバル・ポジショニング・システム（Ａｓｓｉｓｔｅｄ  Ｇｌｏｂａｌ  Ｐｏｓｉｔｉｏｎｉｎｇ  Ｓｙｓｔｅｍ，Ａ−ＧＰＳ）及び時間差測位方法など、複数の測位方法を利用することによって取得されてもよく、ここには列記されない。
【００５０】
他の具体例について、第１のセルのものであって、第１のセルの異なるエリアにおけるＵＥにより受信される信号強度は異なり、第１のセルの近傍セルのものであって、第１のセルの異なるエリアにおけるＵＥにより受信される信号強度もまた異なる。従って、第１のモビリティ管理ユニットは、第１のセルセットにおけるセルの信号強度特性に従って第１のセルを分割することによって取得されるエリアであってもよい。第１のセルセットは第１のセルを少なくとも有してもよい。おそらく、第１のセルセットはまた、第１のセル及び第１のセルの少なくとも１つの近傍セルを有してもよく、ここで、近傍セルは以下の近傍セルの少なくとも１つのタイプ、第１のセルのＲＡＴ内周波数内近傍セル、第１のセルのＲＡＴ内周波数間近傍セル、又は第１のセルのＲＡＴ間近傍セルを有してもよい。第１のセルセットにおけるセルの信号強度特性は、以下の少なくとも１つ、第１のセルセットにおけるセルの信号強度範囲又は第１のセルセットにおけるセルの信号強度比較関係を有する。例えば、第１のモビリティ管理ユニットは、第１のセルセットにおけるセルの信号強度範囲に従って第１のセルを分割することによって取得されるエリアであってもよい。セルの信号強度範囲は、信号強度サブ区間を取得するため別々に分割される。第１のモビリティ管理ユニットの第１のセルセットにおけるセルの信号強度範囲は、対応するセルの信号強度サブ区間によって別々に決定される。他の具体例について、第１のモビリティ管理ユニットは、第１のセルセットにおけるセルの信号強度比較関係に従って第１のセルを分割することによって取得されるエリアであってもよい。他の具体例について、第１のモビリティ管理ユニットは、第１のセルセットにおけるセルの信号強度比較関係及び第１のセルセットにおけるセルの信号強度範囲に従って第１のセルを分割することにより取得されるエリアであってもよい。上記は単なる例示であり、本発明の本実施例はこれに限定されないことが留意されるべきである。
【００５１】
異なる規格のセルについて、信号強度は異なる方式で表されてもよい。例えば、ＧＳＭセルについて、信号強度は受信信号レベル（Ｒｅｃｅｉｖｅｄ  Ｓｉｇｎａｌ  Ｌｅｖｅｌ，ＲｘＬｅｖ）により表されてもよく、ＵＭＴＳセルについて、信号強度はｄＢｍ（ｄＢｍ）の単位により受信信号コード電力（Ｒｅｃｅｉｖｅｄ  Ｓｉｇｎａｌ  Ｃｏｄｅ  Ｐｏｗｅｒ，ＲＳＣＰ）により表されてもよいし、又は、ｄＢ（ｄＢ）の単位によりトータル受信電力密度に対するチップ単位のエネルギーの比（Ｒａｔｉｏ  ｏｆ  ｅｎｅｒｇｙ  ｐｅｒ  ｃｈｉｐ  ｔｏ  ｔｈｅ  ｔｏｔａｌ  ｒｅｃｅｉｖｅｄ  ｐｏｗｅｒ  ｄｅｎｓｉｔｙ，Ｅｃ／Ｉｏ）により表されてもよく、ＬＴＥセルについて、信号強度はｄＢｍ（ｄＢｍ）の単位によりリファレンス信号受信電力（Ｒｅｆｅｒｅｎｃｅ  Ｓｉｇｎａｌ  Ｒｅｃｅｉｖｉｎｇ  Ｐｏｗｅｒ，ＲＳＲＰ）により表されてもよいし、又は、ｄＢ（ｄＢ）の単位によりリファレンス信号受信品質（Ｒｅｆｅｒｅｎｃｅ  Ｓｉｇｎａｌ  Ｒｅｃｅｉｖｉｎｇ  Ｑｕａｌｉｔｙ，ＲＳＲＱ）により表されてもよい。方式はここでは列記されず、本発明の本実施例はこれに限定されない。
【００５２】
第１のモビリティ管理ユニットが第１のセルセットにおけるセルの信号強度特性に従って第１のセルを分割することによって取得されるエリアである場合、第１のセルセットにおけるセルのものであって、第１のセルにおけるＵＥから取得される信号強度に従って、ＵＥが第１のモビリティ管理ユニットに存在すると決定されてもよい。
【００５３】
例えば、第１のモビリティ管理ユニットは、第１のセルセットにおけるセルの信号強度範囲に従って第１のセルを分割することによって取得されるエリアである。第１のセルセットにおけるセルのものであって、第１のセルにおける少なくとも１つのＵＥから取得される信号強度がそれぞれ、第１のモビリティ管理ユニットの第１のセルセットにおける対応するセルの信号強度範囲内にある場合、ＵＥが第１のモビリティ管理ユニットに存在すると決定されてもよい。例えば、第１のセルはＵＭＴＳセル１であり、第１のセルの周波数内近傍セルはＵＭＴＳセル２及びＵＭＴＳセル３であり、第１のセルセットは（ＵＭＴＳセル１，ＵＭＴＳセル２，ＵＭＴＳセル３）であり、第１のモビリティ管理ユニットの第１のセルセットにおけるセルの信号強度範囲は、ＵＭＴＳセル１のＲＳＣＰサブ区間（−１００ｄＢｍ〜−９０ｄＢｍ）、ＵＭＴＳセル２のＲＳＣＰサブ区間（−１０５ｄＢｍ〜−９５ｄＢｍ）、及びＵＭＴＳセル３のＲＳＣＰサブ区間（−１１０ｄＢｍ〜−１００ｄＢｍ）である。第１のセルセットにおけるＵＥにより測定されるＵＭＴＳセル１のＲＳＣＰは−９５ｄＢｍであり、第１のセルにおけるＵＥにより測定されるＵＭＴＳセル２のＲＳＣＰは−１００ｄＢｍであり、第１のセルにおけるＵＥにより測定されるＵＭＴＳセル３のＲＳＣＰは−１０５ｄＢｍであり、すなわち、第１のセルセットにおけるセルのものであって、ＵＥが配置される位置において測定される信号強度はそれぞれ、第１のモビリティ管理ユニットの第１のセルセットにおける対応するセルの信号強度範囲内である。ＵＥが第１のモビリティ管理ユニットに存在すると決定されてもよい。セルのものであって、第１のセルにおけるＵＥにより測定される信号強度は、ＵＥの測定レポートから取得されてもよい。
【００５４】
他の具体例について、第１のモビリティ管理ユニットは、第１のセルセットにおけるセルの信号強度比較関係に従って第１のセルを分割することにより取得されるエリアである。第１のセルセットにおけるセルのものであって、第１のセルにおける少なくとも１つのＵＥから取得される信号強度の比較関係が、第１のモビリティ管理ユニットの第１のセルセットにおける対応するセルの信号強度比較関係を充たす場合、ＵＥが第１のモビリティ管理ユニットに存在すると決定されてもよい。例えば、第１のセルはＧＳＭセル１であり、第１のセルの近傍セルはＧＳＭセル２及びＧＳＭセル３であり、第１のセルセットは（ＧＳＭセル１，ＧＳＭセル２，ＧＳＭセル３）であり、第１のモビリティ管理ユニットは、ＧＳＭセル１のＲｘＬｅｖがＧＳＭセル２のＲｘＬｅｖより大きく、ＧＳＭセル１のＲｘＬｅｖがＧＳＭセル３のＲｘＬｅｖより大きいエリアである。ＵＥにより測定されるＧＳＭセル１のＲｘＬｅｖが４０であり、ＵＥにより測定されるＧＳＭセル２のＲｘＬｅｖが２０であり、ＵＥにより測定されるＧＳＭセル３のＲｘＬｅｖが２５である場合、すなわち、第１のセルセットにおけるセルのものであって、ＵＥが配置される位置において測定される信号強度比較関係が、第１のモビリティ管理ユニットの第１のモビリティ管理ユニットにおける対応するセルの信号強度比較関係を充たす場合、ＵＥが第１のモビリティ管理ユニットに存在すると決定されてもよい。
【００５５】
他の具体例について、第１のモビリティ管理ユニットは、第１のセルセットにおけるセルの信号強度範囲及び第１のセルセットにおけるセルの信号強度比較関係に従って第１のセルを分割することにより取得されるエリアである。第１のセルセットにおけるセルのものであって、第１のセルにおける少なくとも１つのＵＥから取得される信号強度がそれぞれ、第１のモビリティ管理ユニットの第１のセルセットにおける対応するセルの信号強度範囲内にあり、且つ第１のセルセットにおけるセルのものであって、第１のセルにおける少なくとも１つのＵＥから取得される信号強度の比較関係が、第１のモビリティ管理ユニットの第１のセルセットにおける対応するセルの信号強度比較関係を充たす場合、ＵＥは第１のモビリティ管理ユニットに存在すると決定されてもよい。
【００５６】
上記は単なる例示であり、本発明の本実施例はこれに限定されないことが留意されるべきである。
【００５７】
ステップ１０２：第１のモビリティ管理ユニットにおけるＵＥのものであって、ステップ１０１において決定された測定統計情報に従って第１のモビリティ管理ユニットの無線ネットワーク情報を決定し、ここで、無線ネットワーク情報は、以下の情報の少なくとも１つのタイプ、第１のモビリティ管理ユニットにおける第１のセルの信号強度情報、第１のモビリティ管理ユニットにおける第１のセルの少なくとも１つの近傍セルの信号強度情報、又は第１のモビリティ管理ユニットにおける少なくとも１つのキー・パフォーマンス・インジケータＫＰＩの統計値を有してもよい。
【００５８】
ステップ１０１において、ＵＥが第１のモビリティ管理ユニットに存在すると決定されるため、第１のモビリティ管理ユニットの無線ネットワーク情報は、第１のモビリティ管理ユニットにおけるＵＥの測定統計情報に従って決定されてもよく、ここで、ＵＥの測定統計情報は、以下の少なくとも１つ、ＵＥの測定レポート、パフォーマンス統計（ｐｅｒｆｏｒｍａｎｃｅ  ｓｔａｔｉｓｔｉｃ）情報などを有してもよい。
【００５９】
第１のモビリティ管理ユニットにおける第１のセル又は第１のセルの近傍セルの信号強度情報は、第１のモビリティ管理ユニットにおける第１のセル又は第１のセルの近傍セルの信号強度の測定統計値、又は第１のモビリティ管理ユニットにおける第１のセル又は第１のセルの近傍セルの信号強度範囲であってもよい。
【００６０】
例えば、統計量が第１のモビリティ管理ユニットにおけるＵＥの測定レポートについて収集され、第１のモビリティ管理ユニットにおける第１のセルの信号強度情報又は第１のモビリティ管理ユニットにおける第１のセルの少なくとも１つの近傍セルの信号強度情報を決定してもよい。同じセルの複数の信号強度測定値が第１のモビリティ管理ユニットにおけるＵＥの測定レポートに存在するとき、複数の信号強度測定値は、第１のモビリティ管理ユニットにおける同一のセルの信号強度の測定統計値として１つの値を取得するためフィルタリングされてもよい。フィルタリング処理は平均フィルタリング処理及びαフィルタリング処理を含むものであってもよいことが留意されるべきである。当業者は、フィルタリング処理が従来技術におけるものと整合していることを理解してもよく、詳細は本発明において詳細には説明されない。第１のモビリティ管理ユニットにおける同一のセルの信号強度範囲はまた、同一のセルについて複数の信号強度測定値に従って決定されてもよい。
【００６１】
他の具体例について、第１のモビリティ管理ユニットにおける各種タイプのＫＰＩが、統計時間内に第１のモビリティ管理ユニットにおけるＵＥについて統計量を収集することによって取得されてもよく、ここで、ＫＰＩは以下の少なくとも１つ、例えば、コールドロップ率、チャネル利用率、ハンドオーバ成功率又はアクセス成功率であってもよい。
【００６２】
例えば、表１はＵＭＴＳセルＣｅｌｌ  １における第１のモビリティ管理ユニットの無線ネットワーク情報を示し、ここで、当該情報は、ＵＭＴＳセルＣｅｌｌ  １及びＣｅｌｌ  １の複数の近傍セルの信号強度情報と、３つのタイプのＫＰＩとを有する。例えば、ＵＭＴＳセルＣｅｌｌ  １からＣｅｌｌ  ８までのうち、Ｃｅｌｌ  ２からＣｅｌｌ  ８は、周波数内近傍セル又は周波数間近傍セルであってもよいＣｅｌｌ  １のＲＡＴ内近傍セルであり、信号強度ＲＳＣＰ１はＣｅｌｌ  １の信号強度であり、ＲＳＣＰ  ２はＣｅｌｌ  ２の信号強度であり、同様に、ＲＳＣＰ８はＣｅｌｌ  ８の信号強度である。ＧＳＭセルＣｅｌｌ  ９からＣｅｌｌ  １１はＣｅｌｌ  １の第１のＲＡＴ間近傍セルであり、ＲｘＬｅｖ  １はＣｅｌｌ  ９の信号強度であり、ＲｘＬｅｖ  ２はＣｅｌｌ  １０の信号強度であり、同様に、ＲｘＬｅｖ  ３はＣｅｌｌ  １１の信号強度である。ＬＴＥセルＣｅｌｌ  １２からＣｅｌｌ  １５はＣｅｌｌ  １の第２のＲＡＴ間近傍セルであり、ＲＳＲＱ  １はＣｅｌｌ  １２の信号強度であり、ＲＳＲＱ  ２はＣｅｌｌ  １３の信号強度であり、同様に、ＲＳＲＱ  ４はＣｅｌｌ  １５の信号強度である。各規格のものであって、無線ネットワーク情報に含まれる必要がある近傍セルが必要に応じて決定されてもよいことが留意されるべきである。異なる規格のセルの信号強度は他の方式で表されてもよい。例えば、ＵＭＴＳセルについて、ＲＳＣＰ、Ｅｃ／Ｎｏ又はＲＳＣＰ及びＥＣ／Ｎｏが利用されてもよく、ＬＴＥセルについて、ＲＳＲＰ、ＲＳＲＱ、又はＲＳＲＰ及びＲＳＲＱが利用されてもよく、ここでは単なる例示であり、本発明の本実施例はこれに限定されない。３つのタイプのＫＰＩは、コールドロップ率、チャネル利用率及びハンドオーバ成功率を含む。
【００６３】
表１は第１のモビリティ管理ユニットの無線ネットワークカバレッジ情報である
【表１】
2016518082.tif 000003
本発明の上記の実施例において列記されたものは単なる例示であり、本発明はこれに限定されないことが留意されるべきである。表１もまた単なる例示であり、本発明はこれに限定されない。
【００６４】
実際の適用では、一旦決定された後、第１のモビリティ管理ユニットの無線ネットワーク情報は、実際の状況に従って以降において再利用されるか、又は更新されてもよい。
【００６５】
本発明の本実施例における方法を利用することによって、セルにおける無線ネットワーク情報を取得及び管理する粒度はモビリティ管理ユニット毎であり、複雑なセルカバレッジ環境について、セルの異なるエリア間の近傍セルに関する相違と、セルの異なるエリア間の干渉に関する装置とが良好に指定可能である。
【００６６】
さらに、複数の通信ネットワークに関する情報を包括的に取得するため、当該方法は更に以下の任意的なステップを有してもよい。
【００６７】
ステップ１０３：第１のモビリティ管理ユニットが第２のモビリティ管理ユニットを有すると決定し、ここで、第２のモビリティ管理ユニットは第２のセルを分割することにより取得されるエリアであり、第２のセル及び第１のセルは、同一のシステムに属するセル、又は異なるシステムに属するセルであってもよい。例えば、第１のセルはＧＳＭセル１であり、第２のセルはＵＭＴＳセル１であるか、又は、第１のセルはＬＴＥセル１であり、第２のセルはＬＴＥセル２である。
【００６８】
第２のモビリティ管理ユニットのカバレッジエリアは、第２のセルのものより小さいか、又は等しくてもよい。第１のモビリティ管理ユニットが第２のモビリティ管理ユニットを有することは、第２のモビリティ管理ユニットが第１のモビリティ管理ユニットより小さく、第１のモビリティ管理ユニット内に配置されるか、又は、第２のモビリティ管理ユニットが第１のモビリティ管理ユニットと同じであることであってもよい。第２のモビリティ管理ユニットは第２のセルを複数の方式で分割することによって取得されてもよく、第２のモビリティ管理ユニットはカバーされたエリアのエリア特性を有する。例えば、第２のモビリティ管理ユニットは、第２のセルの地理的位置情報に従って第２のセルを分割することによって取得されるエリアであってもよいし、又は、第２のモビリティ管理ユニットは、第２のセルセットにおけるセルの信号強度特性に従って第２のセルを分割することにより取得されるエリアであってもよい。分割方式について、第１のモビリティ管理ユニットがステップ１０１において第１のセルを分割することにより取得される方式の説明を参照されたく、ここでは詳細は再説明されない。
【００６９】
第１のモビリティ管理ユニットが第２のモビリティ管理ユニットを有することは、複数の方式で決定されてもよい。
【００７０】
例えば、第１のモビリティ管理ユニットは、第１のセルの地理的位置情報に従って第１のセルを分割することにより取得され、第２のモビリティ管理ユニットは、第２のセルの地理的位置情報に従って第２のセルを分割することにより取得される。第１のモビリティ管理ユニットの地理的範囲が第２のモビリティ管理ユニットの地理的範囲を含む場合、第１のモビリティ管理ユニットは第２のモビリティ管理ユニットを含むと決定される。例えば、第１のモビリティ管理ユニットの地理的範囲が、経度サブ区間（１１６．１２３４５°〜１１６．１２５４５°）及び緯度サブ区間（９０．１２３４６°〜９０．１２８４６°）であり、第２のモビリティ管理ユニットの地理的範囲が、経度サブ区間（１１６．１２３４５°〜１１６．１２５４５°）及び緯度区間（９０．１２３４６°〜９０．１２８４６°）である。すなわち、第１のモビリティ管理ユニットの地理的範囲における経度サブ区間は、第２のモビリティ管理ユニットの経度サブ区間より大きいか、又は等しく、第１のモビリティ管理ユニットの地理的範囲における緯度サブ区間は、第２のモビリティ管理ユニットの緯度サブ区間より大きいか、又は等しい。従って、第１のモビリティ管理ユニットは第２のモビリティ管理ユニットを有すると決定されてもよい。
【００７１】
他の具体例について、第１のモビリティ管理ユニットは、第１のセルセットにおけるセルの信号強度特性に従って第１のセルを分割することによって取得されるエリアである。第１のモビリティ管理ユニットが第２のモビリティ管理ユニットを有することは、第２のモビリティ管理ユニットの第１のセルセットにおけるセルの信号強度情報に従って決定されてもよく、ここで、第２のモビリティ管理ユニットの第１のセルセットにおけるセルの信号強度情報は、第２のモビリティ管理ユニットの無線ネットワーク情報から取得されてもよい。
【００７２】
例えば、第１のセルはＵＭＴＳセル１であり、第１のモビリティ管理ユニットの第１のセルセットにおけるセルの信号強度特性は、（ＵＭＴＳセル１，ＲＳＣＰ：−１００ｄＢｍ〜−９０ｄＢｍ），（ＵＭＴＳセル２，ＲＳＣＰ：−１０５ｄＢｍ〜−９８ｄＢｍ），（ＵＭＴＳセル３，ＲＳＣＰ：−１０７ｄＢｍ〜−９２ｄＢｍ）である。第２のセルはＵＭＴＳセル５であり、第２のモビリティ管理ユニットの無線ネットワーク情報内にあるセルの信号強度情報は、（ＵＭＴＳセル１，ＲＳＣＰ＝−９５ｄＢｍ），（ＵＭＴＳセル２，ＲＳＣＰ＝−１００ｄＢｍ），（ＵＭＴＳセル３，ＲＳＣＰ＝−１０５ｄＢｍ）である。第２のモビリティ管理ユニットの第１のセルセットにおけるセルの信号強度情報が第２のモビリティ管理ユニットの無線ネットワーク情報から取得されてもよく、セルの信号強度情報は全て第１のモビリティ管理ユニットの第１のセルセットにおける対応するセルの信号強度範囲内であることが知ることができる。従って、第１のモビリティ管理ユニットは第２のモビリティ管理ユニットを有すると決定されてもよい。
【００７３】
上記は単なる例示であり、本発明の本実施例はこれに限定されないことが留意されるべきである。
【００７４】
ステップ１０４：第２のモビリティ管理ユニットの無線ネットワーク情報と第１のモビリティ管理ユニットの無線ネットワーク情報とを合成する。
【００７５】
第２のモビリティ管理ユニットの無線ネットワーク情報は、ステップ１０１〜１０２における方式で決定されてもよいし、又はステップ１０１〜１０４における方式で決定されてもよい。
【００７６】
第２のモビリティ管理ユニットの無線ネットワーク情報は、複数の方式で第１のモビリティ管理ユニットの無線ネットワーク情報と合成されてもよい。例えば、第２のモビリティ管理ユニットの無線ネットワーク情報は、第１のモビリティ管理ユニットの無線ネットワーク情報に追加されてもよい。第１のモビリティ管理ユニットの無線ネットワーク情報と第２のモビリティ管理ユニットの無線ネットワーク情報との双方が同一のセルの信号強度情報を有する場合であって、且つセルの信号強度情報が測定統計値である場合、第１のモビリティ管理ユニットにおけるセルの信号強度情報と第２のモビリティ管理ユニットにおけるセルの信号強度情報とは、第１のモビリティ管理ユニットにおけるセルの合成された信号強度情報を取得するためフィルタリングされてもよい。フィルタリング処理は平均フィルタリング処理及びαフィルタリング処理を含むものであってもよいことが留意されるべきである。当業者は、フィルタリング処理が従来技術におけるものと整合することを理解してもよく、本発明において詳細は再紹介されない。セルの信号強度情報が信号強度範囲である場合、合成された信号強度範囲は、第１のモビリティ管理ユニットにおけるセルの信号強度範囲と、第２のモビリティ管理ユニットにおけるセルの信号強度範囲との和集合を利用することによって取得されてもよい。
【００７７】
例えば、第１のセルであるＵＭＴＳセル１における第１のモビリティ管理ユニットは、第２のセルであるＵＭＴＳセル２における第２のモビリティ管理ユニットを含む。第１のモビリティ管理ユニットの無線ネットワーク情報は、（ＧＳＭセル１，ＲｘＬｅｖ＝４５），（ＵＭＴＳセル３，ＲＳＣＰ＝−９７ｄＢｍ）及び（ＵＭＴＳセル１，コールドロップ率＝０．０５％）を有する。第２のモビリティ管理ユニットの無線ネットワーク情報は、（ＧＳＭセル２，ＲｘＬｅｖ＝２５），（ＬＴＥセル１，ＲＳＲＰ＝−１００ｄＢｍ），（ＵＭＴＳセル２，コールドロップ率＝０．０１％）及び（ＵＭＴＳセル２，ハンドオーバ成功率＝９９．８％）を有する。従って、第２のモビリティ管理ユニットの無線ネットワーク情報と第１のモビリティ管理ユニットの無線ネットワーク情報とを合成することによって取得される第１のモビリティ管理ユニットの無線ネットワーク情報は、（ＧＳＭセル１，ＲｘＬｅｖ＝４５），（ＧＳＭセル２，ＲｘＬｅｖ＝２５），（ＵＭＴＳセル３，ＲＳＣＰ＝−９７ｄＢｍ），（ＬＴＥセル１，ＲＳＲＰ＝−１００ｄＢｍ），（ＵＭＴＳセル１，コールドロップ率＝０．０５％），（ＵＭＴＳセル２，コールドロップ率＝０．０１％）及び（ＵＭＴＳセル２，ハンドオーバ成功率＝９９．８％）である。上記は単なる例示であり、本発明の本実施例はこれに限定されないことが留意されるべきである。
【００７８】
本発明の本実施例における方法では、様々な規格において同一のエリアについて決定された無線ネットワーク情報が、統一された管理のための１つのモビリティ管理ユニットに合成され、これにより、モビリティ管理ユニットの無線ネットワーク情報は、モビリティ管理ユニットが同時に複数の規格の通信ネットワークによりカバーされるとき、より完全なものとなりうる。
【００７９】
さらに、ステップ１０２又はステップ１０４に基づき、当該方法は更に以下の任意的なステップを有してもよい。
【００８０】
ステップ１０５：第１のモビリティ管理ユニットの無線ネットワーク情報に従って無線リソース管理を実行する。
【００８１】
本発明の実施例では、第１のモビリティ管理ユニットの無線ネットワーク情報は、ステップ１０１〜１０２を用いることによって決定されてもよいし、又はステップ１０１〜１０４を用いることによって決定されてもよい。
【００８２】
第１のモビリティ管理ユニットの無線ネットワーク情報は、以下の情報の少なくとも１つのタイプ、第１のセルの信号強度情報、第１のセルの少なくとも１つの近傍セルの信号強度情報、又は少なくとも１つのキー・パフォーマンス・インジケータＫＰＩの統計値を有する。従って、無線リソース管理は、第１のモビリティ管理ユニットの無線ネットワーク情報に従って実行されてもよい。
【００８３】
無線リソース管理は、第１のセル又は第１のセルの近傍セルにおけるアクセス又はハンドオーバを完了させるため、第１のモビリティ管理ユニットにおけるＵＥを制御することを有し、ここで、第１のセルの近傍セル及び第１のセルは、同一のシステムに属するセル、又は異なるシステムに属するセルであってもよい。
【００８４】
例えば、リソース輻輳が第１のセルにおいて生じる。ＵＥが第１のセルへのアクセスを取得するとき、ＵＥが第１のモビリティ管理ユニットに配置されていると判断された場合、ＵＥが第１のモビリティ管理ユニットに配置されていると決定するための方法については、ステップ１０１における説明を参照されたく、ここでは詳細は再説明されない。第１のモビリティ管理ユニットの無線ネットワーク情報が第１のセルの少なくとも１つの近傍セルの信号強度情報を有する場合、ＵＥは、例えば、第１のセルの近傍セルとしての第３のセルなど、第１のセルの少なくとも１つの近傍セルの信号強度情報に従って、第１のセルと第３のセルとの間のより良好な信号強度を有するセルへのアクセスを取得するよう制御されてもよい。
【００８５】
他の具体例について、第１のセルはＵＭＴＳセル１であり、ＵＥはＵＭＴＳセル１へのアクセスを取得し、データサービスを開始した。ＵＥが第１のモビリティ管理ユニットに配置されていると決定された場合、ＵＥが第１のモビリティ管理ユニットに配置されていると決定するための方法について、ステップ１０１における説明を参照されたく、ここでは詳細は再説明されない。第１のモビリティ管理ユニットのコールドロップ率のインジケータが所定の閾値より高く、且つ第１のモビリティ管理ユニットの無線ネットワーク情報が第１のセルの近傍セルのＫＰＩ、すなわち、ＬＴＥセル１及びワイヤレス・フィデリティ（Ｗｉｒｅｌｅｓｓ  Ｆｉｄｅｌｉｔｙ，ＷＩＦＩ）セル２のＫＰＩを有する場合であって、且つＬＴＥセル１のチャネル利用率が高く、ＷＩＦＩセル２のロードが低い場合、ＵＥは、ＷＩＦＩセル２へのアクセスを取得するよう制御されてもよい。ＬＴＥセル１のチャネル利用率が低く、現在の所定の無線リソース管理ルールがセルラネットワークファーストである場合、ＵＥは、ＬＴＥセル１へのハンドオーバを実行するよう制御されてもよい。
【００８６】
上記は単なる例示であり、本発明の本実施例はこれに限定されるものでないことが留意されるべきである。
【００８７】
本発明の本実施例における方法を利用することによって、無線リソース管理は、ＵＥが配置されるモビリティ管理ユニットの無線ネットワーク情報に従って実行され、近傍セルに関するＵＥの測定結果を待機する必要はなく、これにより、アクセス又はハンドオーバの遅延を低減し、セルの異なるエリアにおける相違から生じるＵＥの不完全な測定情報によって生じる誤った判断を防ぎ、ユーザ体感を向上させる。
【００８８】
上記の方法は複数のタイプのネットワーク装置を利用することにより実現されてもよく、例えば、ＲＮＣ、ＢＳＣ、ｅＮｏｄｅＢ又はＡＣなどの基地局装置を利用することによって実現されてもよいし、又は集中制御装置を利用することによって実現されてもよいことが留意されるべきである。集中制御装置が実現のため利用されるとき、集中制御装置は上記の基地局装置の少なくとも１つに接続され、基地局装置が、各セルの所定の情報、セルにおけるＵＥの測定レポート及び統計情報を集中制御装置に転送する点で相違がある。
【００８９】
図２は、本発明の他の実施例によるネットワーク情報管理方法のフローチャートである。本発明の本実施例では、第１のモビリティ管理ユニットは、第１のセルの地理的位置情報に従って第１のセルを分割することにより取得されるエリアである。図２に示されるように、当該方法は以下を有してもよい。
【００９０】
ステップ２０１：ＵＥが第１のモビリティ管理ユニットに存在すると決定し、ここで、第１のモビリティ管理ユニットは、第１のセルの地理的位置情報に従って第１のセルを分割することにより取得されるエリアである。
【００９１】
第１のセルは、例えば、ＧＳＭシステム、ＵＭＴＳシステム又はＬＴＥシステムなどの何れかの規格の通信システムにおけるセルであってもよい。
【００９２】
例えば、第１のセルの地理的位置情報は、第１のセルのものである経度区間及び緯度区間であってもよい。少なくとも１つの経度サブ区間及び少なくとも１つの緯度サブ区間が、第１のセルの経度区間及び緯度区間を分割することによって取得される。第１のモビリティ管理ユニットの地理的範囲は、経度サブ区間の１つ及び緯度サブ区間の１つによって決定されてもよい。図３に示されるように、第１のセルの経度区間は（１１６．１２３４５°〜１１６．１２５４５°）であり、緯度区間は（９０．１２３４６°〜９０．１２８４６°）であり、第１のセルは１２個のモビリティ管理ユニット１〜１２に分割される。モビリティ管理ユニット１の経度サブ区間は（１１６．１２３４５°〜１１６．１２３９５°）であり、モビリティ管理ユニット１の緯度サブ区間は（９０．１２７４６°〜９０．１２８４６°）である。モビリティ管理ユニット５の経度サブ区間は（１１６．１２３９５°〜１１６．１２４９５°）であり、モビリティ管理ユニット５の緯度サブ区間は（９０．１２５９６°〜９０．１２７４６°）である。０．００１°は１００ｍの直線距離を表すことに注目すべきである。第１のモビリティ管理ユニットはモビリティ管理ユニット１であり、第１のモビリティ管理ユニットの地理的範囲は、経度サブ区間（１１６．１２３４５°〜１１６．１２３９５°）及び緯度サブ区間（９０．１２７４６°〜９０．１２８４６°）によって決定される。全てのモビリティ管理ユニットの経度サブ区間のサイズ又は緯度サブ区間のサイズは、必ずしも同じである必要はない。第１のセルを分割することにより取得されるモビリティ管理ユニットの数は、実際の適用シナリオに従って決定され、本発明では限定されないことが留意されるべきである。さらに、モビリティ管理ユニットの数の増加は、ネットワーク情報管理の精度を向上させうる。地理的位置情報は他の方式で決定されてもよく、例えば、リファレンスポイントに対する距離間隔を利用することによって決定されてもよいことが理解されてもよく、本発明の本実施例はこれに限定されない。
【００９３】
第１のセルの地理的位置情報は、所定の情報を取得することによって取得されてもよい。例えば、第１のセルの所定の地理的位置情報は、第１のセルの経度区間及び緯度区間を有し、従って、第１のセルは今回のみモビリティ管理ユニットに分割されてもよく、当該分割の結果は以降において再利用されてもよい。あるいは、第１のセルの地理的位置情報は、第１のセルの経度及び緯度と、第１のセルにおける少なくとも１つのＵＥの位置情報とに従って決定されてもよい。例えば、第１のセルの半径は、第１のセルにおいてＵＥにより測定される到着時間や送信電力などの位置情報に従って決定されてもよく、経度区間や緯度区間などの第１のセルのカバレッジエリアの地理的範囲は、第１のセルの経度、緯度及び半径に従って取得される。一旦決定された後、第１のセルのものである経度区間及び緯度区間は、第１のセルにおけるＵＥにより以降に報告される位置情報に従って更新されてもよい。従って、第１のセルがモビリティ管理ユニットに分割された後、当該分割の結果は、実際の状況に従って以降に再利用又は更新されてもよい。
【００９４】
第１のセルの地理的位置情報に従って第１のセルを分割することにより取得される第１のモビリティ管理ユニットについて、第１のセルにおけるＵＥが配置される地理的位置が第１のモビリティ管理ユニットの地理的範囲内である場合、ＵＥが第１のモビリティ管理ユニットに存在すると決定されてもよい。詳細について、上記の方法の実施例のステップ１０１における説明を参照されたく、ここでは詳細は再説明されない。
【００９５】
ステップ２０２：第１のモビリティ管理ユニットにおけるＵＥのものであって、ステップ２０１において決定された測定統計情報に従って第１のモビリティ管理ユニットの無線ネットワーク情報を決定し、ここで、無線ネットワーク情報は、以下の情報の少なくとも１つのタイプ、第１のモビリティ管理ユニットにおける第１のセルの信号強度情報、第１のモビリティ管理ユニットにおける第１のセルの少なくとも１つの近傍セルの信号強度情報、又は第１のモビリティ管理ユニットにおける少なくとも１つのキー・パフォーマンス・インジケータＫＰＩの統計値を有する。
【００９６】
ステップ２０１においてＵＥが第１のモビリティ管理ユニットに存在すると決定されたため、第１のモビリティ管理ユニットの無線ネットワーク情報は、第１のモビリティ管理ユニットにおけるＵＥの測定統計情報に従って決定されてもよい。上記の方法の実施例の対応するステップ１０２における説明が参照されてもよく、ここでは詳細は再説明されない。
【００９７】
実際の適用では、一旦決定された後、第１のモビリティ管理ユニットの無線ネットワーク情報は、実際の状況に従って以降に再利用されるか、又は更新されてもよい。
【００９８】
本発明の本実施例における方法を利用することによって、セルにおける無線ネットワーク情報を取得及び管理する粒度は、モビリティ管理ユニット毎であり、従って、セルの異なるエリア間の近傍セルに関する相違及びセルの異なるエリア間の干渉に関する装置が良好に指定されうる。
【００９９】
さらに、複数の通信ネットワークに関する情報を包括的に取得するため、当該方法は更に以下の任意的なステップを有してもよい。
【０１００】
ステップ２０３：第１のモビリティ管理ユニットが第２のモビリティ管理ユニットを有すると決定し、ここで、第２のモビリティ管理ユニットは第２のセルを分割することにより取得されるエリアであり、第２のセル及び第１のセルは、同一のシステムに属するセル、又は異なるシステムに属するセルであってもよい。
【０１０１】
第２のモビリティ管理ユニットのカバレッジエリアは、第２のセルのものより小さいか、又は等しい。第１のモビリティ管理ユニットが第２のモビリティ管理ユニットを有することは、第２のモビリティ管理ユニットが第１のモビリティ管理ユニットより小さく、第１のモビリティ管理ユニット内に配置されるか、又は、第２のモビリティ管理ユニットが第１のモビリティ管理ユニットと同じであるということであってもよい。第２のモビリティ管理ユニットは、複数の方式で第２のセルを分割することによって取得されてもよい。第１のモビリティ管理ユニットがステップ１０１において第１のセルを分割することにより取得される方式の説明が参照されてもよい。第２のモビリティ管理ユニットは、カバーされるエリアのエリア特性を有する。例えば、第２のモビリティ管理ユニットは、第２のセルの地理的位置情報に従って第２のセルを分割することによって取得されるエリアであってもよい。第１のモビリティ管理ユニットの地理的範囲が第２のモビリティ管理ユニットの地理的範囲を含む場合、第１のモビリティ管理ユニットは第２のモビリティ管理ユニットを有すると決定される。これは、上記の方法の実施例の対応するステップ１０３において説明されたため、ここでは詳細は再説明されない。
【０１０２】
ステップ２０４：第２のモビリティ管理ユニットの無線ネットワーク情報と第１のモビリティ管理ユニットの無線ネットワーク情報とを合成する。
【０１０３】
第２のモビリティ管理ユニットの無線ネットワーク情報は、ステップ２０１〜２０２における方式で決定されてもよいし、又はステップ２０１〜２０４における方式で決定されてもよい。
【０１０４】
第２のモビリティ管理ユニットの無線ネットワーク情報は、複数の方式で第１のモビリティ管理ユニットの無線ネットワーク情報と合成されてもよい。上記の方法の実施例の対応するステップ１０４における説明が参照されてもよく、ここでは詳細は再説明されない。
【０１０５】
本発明の本実施例における方法では、様々な規格において同一のエリアについて決定される無線ネットワーク情報は、統一された管理のため１つのモビリティ管理ユニットに合成され、これにより、モビリティ管理ユニットの無線ネットワーク情報は、複数の規格の通信ネットワークが全てカバーされているとき、より完全とすることができる。
【０１０６】
さらに、ステップ２０２又はステップ２０４に基づき、当該方法は更に以下の任意的なステップを有してもよい。
【０１０７】
ステップ２０５：第１のモビリティ管理ユニットの無線ネットワーク情報に従って無線リソース管理を実行する。
【０１０８】
上記の方法の実施例のステップ１０５における説明が参照されてもよく、ここでは詳細は再説明されない。
【０１０９】
本発明の本実施例における方法を利用することによって、無線リソース管理が、ＵＥが配置されるモビリティ管理ユニットの無線ネットワーク情報に従って実行され、近傍セルに関するＵＥの測定結果を待機する必要がなく、これにより、アクセス又はハンドオーバの遅延を低減し、セルの異なるエリアにおける相違から生じるＵＥの不完全な測定情報により生じる誤った判断を防ぎ、ユーザ体感を向上させる。
【０１１０】
図４は、本発明の他の実施例によるネットワーク情報管理方法のフローチャートである。本発明の本実施例では、第１のモビリティ管理ユニットは、第１のセルセットにおけるセルの信号強度特性に従って第１のセルを分割することにより取得されるエリアである。図４に示されるように、当該方法は以下を有してもよい。
【０１１１】
ステップ４０１：ＵＥが第１のモビリティ管理ユニットに存在すると決定し、ここで、第１のモビリティ管理ユニットは、第１のセルセットにおけるセルの信号強度特性に従って第１のセルを分割することにより取得されるエリアである。
【０１１２】
第１のセルは、例えば、ＧＳＭシステム、ＵＭＴＳシステム又はＬＴＥシステムなどの何れかの規格の通信システムにおけるセルであってもよい。
【０１１３】
第１のセルセットに含まれるセルは、必要に応じて決定されてもよく、第１のセルセットは第１のセルを少なくとも有する。第１のセルセットはまた、第１のセル及び第１のセルの少なくとも１つの近傍セルを有してもよい。ここでの近傍セルは、以下の近傍セルの少なくとも１つのタイプ、第１のセルのＲＡＴ内周波数内近傍セル、第１のセルのＲＡＴ内周波数間近傍セル、又は第１のセルのＲＡＴ間近傍セルを有してもよい。
【０１１４】
第１のセルセットが第１のセルしか有さない場合、第１のセルにおいてＵＥにより測定される同じ信号強度の位置により形成されるエリア全体は、中心が第１のセルの中心である環状エリアであってもよい。同一の信号強度の位置により形成され、第１のセルを分割することにより取得されるエリア全体は、第１のモビリティ管理ユニットとして利用されてもよい。第１のセルセットが第１のセル及び第１のセルの少なくとも１つの近傍セルを有する場合、ＵＥは、第１のセルの異なる位置における第１のセルセットにおけるセルの信号強度を測定してもよい。測定された各セルにおいて同一の信号強度の位置により形成されるエリア全体は、中心が測定された各セルの中心である環状エリアを別々に形成し、これらのエリアの共通集合に含まれるエリアが第１のモビリティ管理ユニットとして決定されてもよい。
【０１１５】
ＵＥは第１のセルの異なるエリアにおける異なる近傍セルを測定してもよいため、異なるモビリティ管理ユニットが、同一のセルセットにおけるセルの信号強度特性に従って第１のセルを分割することにより取得されてもよいし、又は、異なるセルセットにおけるセルの信号強度特性に従って第１のセルを分割することにより取得されてもよい。異なるセルセットのそれぞれは、第１のセルの異なる近傍セルを有する。
【０１１６】
具体例として図５を利用して、第１のセルはＵＭＴＳセル１であり、セル１の周波数内近傍セルはＵＭＴＳセル２〜７である。セル１はセルセットとして利用されてもよく、すなわち、この場合、セルセットは１つのみのセル、すなわち、セル１しか有さなくてもよい。セル１及び１つの周波数内近傍セルがまたセルセットとして利用されてもよく、例えば、セルセットはそれぞれ（１，２），（１，３），（１，４），（１，５），（１，６）及び（１，７）であり、第１のセルセットは（１，２）である。セル１及び２つの周波数内近傍セルがまたセルセットして利用されてもよく、例えば、セルセットはそれぞれ（１，２，３），（１，３，４），（１，４，５），（１，５，６），（１，６，７）及び（１，７，２）であり、第１のセルセットは（１，２，３）である。各セルセットに含まれる周波数内近傍セル又はＲＡＴ内近傍セルの数は、実際の適用シナリオに従って決定され、決定されるセルセットの数がまた必要に応じて決定されることが留意されるべきである。上記は単なる例示であり、本発明はこれに限定されない。
【０１１７】
周波数間近傍セル又はＲＡＴ間近傍セルに関するＵＥの測定により生じるネットワーク干渉エンハンスメント又はパフォーマンス劣化に対する影響を低減するため、第１のセルの周波数内近傍セル又は第１のセルのＲＡＴ内近傍セルが、セルセットとして選択されてもよい。例えば、第１のセルがＧＳＭセルであるとき、第１のセルセットに含まれる近傍セルは近傍のＧＳＭセル１である。他の具体例について、第１のセルがＵＭＴＳセルであるとき、第１のセルセットに含まれる近傍セルは、ＵＭＴＳ周波数内近傍セル１及びＵＭＴＳ周波数内近傍セル２である。上記は単なる例示であり、本発明の本実施例はこれに限定されないことが留意されるべきである。
【０１１８】
第１のモビリティ管理ユニットは、第１のセルセットにおけるセルの信号強度特性に従って第１のセルを分割することにより取得されるエリアであってもよい。
【０１１９】
第１のセルセットにおけるセルの信号強度特性は、以下の少なくとも１つ、第１のセルセットにおけるセルの信号強度範囲、又は第１のセルセットにおけるセルの信号強度比較関係を有する。それはここでは列記されず、本発明の本実施例はこれに限定されない。
【０１２０】
異なる規格のセルについて、信号強度は異なる方式で表されてもよい。例えば、ＧＳＭセルについて、信号強度は受信信号レベル（Ｒｅｃｅｉｖｅｄ  Ｓｉｇｎａｌ  Ｌｅｖｅｌ，ＲｘＬｅｖ）により表され、ＵＭＴＳセルについて、信号強度はｄＢｍ（ｄＢｍ）の単位による受信信号コード電力（Ｒｅｃｅｉｖｅｄ  Ｓｉｇｎａｌ  Ｃｏｄｅ  Ｐｏｗｅｒ，ＲＳＣＰ）により表されてもよいし、又はｄＢ（ｄＢ）の単位によるトータルの受信電力密度に対するチップ毎のエネルギーの比（Ｒａｔｉｏ  ｏｆ  ｅｎｅｒｇｙ  ｐｅｒ  ｃｈｉｐ  ｔｏ  ｔｈｅ  ｔｏｔａｌ  ｒｅｃｅｉｖｅｄ  ｐｏｗｅｒ  ｄｅｎｓｉｔｙ，Ｅｃ／Ｉｏ）により表されてもよく、ＬＴＥセルについて、信号強度はｄＢｍ（ｄＢｍ）の単位によるリファレンス信号受信電力（Ｒｅｆｅｒｅｎｃｅ  Ｓｉｇｎａｌ  Ｒｅｃｅｉｖｉｎｇ  Ｐｏｗｅｒ，ＲＳＲＰ）により表されてもよいし、又はｄＢ（ｄＢ）の単位によるリファレンス信号受信品質（Ｒｅｆｅｒｅｎｃｅ  Ｓｉｇｎａｌ  Ｒｅｃｅｉｖｉｎｇ  Ｑｕａｌｉｔｙ，ＲＳＲＱ）により表されてもよい。それはここでは列記されず、本発明の本実施例はこれに限定されない。
【０１２１】
本発明の実施例では、第１のモビリティ管理ユニットは、第１のセルセットにおけるセルの信号強度範囲に従って第１のセルを分割することにより取得されるエリアである。例えば、第１のセルセットは第１のセルと、第１のセルの２つの周波数内近傍セル１及び２とを有する。第１のセルの信号強度範囲は５つのサブ区間に分割され、周波数内近傍セル１の信号強度範囲は２つのサブ区間に分割され、周波数内近傍セル２の信号強度範囲は３つのサブ区間に分割される。第１のセルは、第１のセルセットにおけるセルの信号強度情報に従って最大で５×２×３個のエリアに分割されてもよい。必要に応じて、これらのエリアの全て又は一部が、ネットワーク情報管理が実行される必要がある第１のセルにおいてモビリティ管理ユニットとして選択されてもよい。例えば、１０個のエリアがネットワーク情報管理を実行するための第１のセルの１０個のモビリティ管理ユニットとして選択され、１つは第１のモビリティ管理ユニットとして利用される。上記は単なる例示であり、本発明の本実施例はこれに限定されないことが留意されるべきである。
【０１２２】
例えば、図６に示されるように、第１のセルはＵＭＴＳセル１であり、周波数内近傍セルはＵＭＴＳセル２及び３であり、第１のセルセットはＵＭＴＳセル１〜３である。ここで用いられる信号強度はＲＳＣＰである。異なる信号強度表現方式が異なる規格のセルについて利用されてもよく、ここでは限定されないことが留意されるべきである。ＵＭＴＳセル１のＲＳＣＰ範囲は（−１００ｄＢｍ〜−８５ｄＢｍ）であり、ＵＭＴＳセル２のＲＳＣＰ範囲は（−１１０ｄＢｍ〜−９０ｄＢｍ）であり、ＵＭＴＳセル３のＲＳＣＰ範囲は（−１０５ｄＢｍ〜−９５ｄＢｍ）である。ＵＭＴＳセル１のＲＳＣＰ範囲は、２つのサブ区間（−１００ｄＢｍ〜−９６ｄＢｍ）及び（−９５ｄＢｍ〜−８５ｄＢｍ）に分割されてもよく、ＵＭＴＳセル２のＲＳＣＰ範囲は、１つのみのサブ区間（−１１０ｄＢｍ〜−９０ｄＢｍ）に分割され、ＵＭＴＳセル３のＲＳＣＰ範囲は、１つのみのサブ区間（−１０５ｄＢｍ〜−９５ｄＢｍ）に分割される。ＵＭＴＳセル１のＲＳＣＰが（−１００ｄＢｍ〜−９６ｄＢｍ）であり、ＵＭＴＳセル２のＲＳＣＰが（−１１０ｄＢｍ〜−９０ｄＢｍ）であり、ＵＭＴＳセル３のＲＳＣＰが（−１０５ｄＢｍ〜−９５ｄＢｍ）であるエリアが、ＵＭＴＳセル１のモビリティ管理ユニット１として利用される。ＵＭＴＳセル１のＲＳＣＰが（−９５ｄＢｍ〜−８５ｄＢｍ）であり、ＵＭＴＳセル２のＲＳＣＰが（−１１０ｄＢｍ〜−９０ｄＢｍ）であり、ＵＭＴＳセル３のＲＳＣＰが（−１０５ｄＢｍ〜−９５ｄＢｍ）であるエリアが、ＵＭＴＳセル１のモビリティ管理ユニット２として利用される。モビリティ管理ユニット１は第１のモビリティ管理ユニット１として利用される。モビリティ管理ユニット１は、第１のモビリティ管理ユニットとして利用される。本発明の本実施例では、第１のモビリティ管理ユニットは、第１のセルセット（ＵＭＴＳセル１，ＵＭＴＳセル２，ＵＭＴＳセル３）におけるセルの信号強度特性に従って分割することにより取得されることが示される。それはここでは列記されず、本発明の本実施例はこれに限定されない。
【０１２３】
本発明の他の実施例では、第１のモビリティ管理ユニットは、第１のセルセットにおける第１のセルの信号強度範囲及び第１のセルの近傍セルの間の信号強度比較関係に従って第１のセルを分割することにより取得されるエリアである。
【０１２４】
例えば、図７に示されるように、第１のセルはＧＳＭセルＢ３であり、第１のセルの近傍セルはＧＳＭセルＡ１，Ａ２，Ｂ１，Ｂ２，Ｃ１及びＣ２である。近傍のＧＳＭセルの信号強度はＲｘＬｅｖにより表されてもよい。Ｂ３の信号強度範囲は（１０〜６３）であり、３つのサブ区間（１０〜２９），（３０〜３９）及び（４０〜６３）に分割される。第１のセルセット（Ｂ３，Ｂ１，Ａ２，Ｃ１）について、第１のモビリティ管理ユニットは、Ｂ３のＲｘＬｅｖが（１０〜２９）であり、Ａ２のＲｘＬｅｖがＢ１のＲｘＬｅｖ以上であり、Ａ２のＲｘＬｅｖがＣ１のＲｘＬｅｖ以上であるエリアであり、図６におけるモビリティ管理ユニット１である。他のセルセット（Ｂ３，Ａ２，Ｂ１，Ｂ２）について、Ｂ３のＲｘＬｅｖが（４０〜６３）であり、Ｂ１のＲｘＬｅｖがＡ２のＲｘＬｅｖ以上であり、Ｂ１のＲｘＬｅｖがＢ２のＲｘＬｅｖ以上であるエリアが、Ｂ３のモビリティ管理ユニット２として利用されてもよい。同様に、第１のセルは、異なるセルセットにおける近傍セルの信号強度比較関係及び第１のセルの信号強度範囲に従って複数のモビリティ管理ユニットに分割されてもよく、ここでは列記されず、本発明の本実施例はこれに限定されない。
【０１２５】
第１のセルセットにおけるセルの信号強度特性は、複数の方式で取得されてもよい。例えば、第１のセルセットにおけるセルの信号強度特性が第１のセルセットにおけるセルの信号強度範囲を有するとき、セルに対応する規格の信号強度の有効な値の範囲が、セルの信号強度範囲として利用されてもよい。例えば、ＵＭＴＳセルのＲＳＣＰの有効値は（−１１５ｄＢｍ〜−２５ｄＢｍ）であり、ＧＳＭセルの有効なＲｘＬｅｖ値は（０〜６３）である。それはここでは列記されず、本発明の本実施例はこれに限定されない。従って、第１のセルは今回だけモビリティ管理ユニットに分割されてもよく、当該分割の結果は以降において再利用されてもよい。
【０１２６】
本発明の他の実施例では、第１のセルセットにおけるセルの信号強度範囲はまた、第１のセルにおける少なくとも１つのＵＥの測定レポートにおいてセルの信号強度を予め取得することによって決定されてもよい。一旦決定された後、信号強度範囲は、第１のセルにおけるＵＥにより以降に報告された測定レポートに従って更新されてもよい。従って、第１のセルがモビリティ管理ユニットに分割された後、当該分割の結果は、実際の状況に従って以降に再利用されるか、又は更新されてもよい。セルセットにおけるセルの信号強度が、第１のセルにおける何れかのＵＥの測定レポートを用いることによって決定できない場合、例えば、セルが第１のセルにおけるＵＥの測定レポートにおいて測定されたセルとして利用できない場合、セルが配置されるセルセットは、第１のセルを分割することによってモビリティ管理ユニットを取得するのに利用可能でない。
【０１２７】
図８を参照して、図８は、本発明の実施例による第１のセルセットにおけるセルの信号強度特性を予め決定する方式を示し、ここで、当該方式は以下の内容を有してもよい。
【０１２８】
ステップ４０１１：第１のセルにおける少なくとも１つのＵＥの測定レポートにおける信号強度を取得する。
【０１２９】
測定レポートを収集するのに用いられる少なくとも１つのＵＥが、第１のセルにおいて選択されてもよい。測定レポートを収集するのに用いられるＵＥの数は、実際の適用シナリオに従って決定される。選択方式は、ランダムな選択であってもよいし、又は、移動速度の低いＵＥを選択してもよく、本発明において限定されない。測定レポートを収集するのに利用される第１のモビリティ管理ユニットにおけるより多くのＵＥが、第１のモビリティ管理ユニットにおけるセルのものであって、ＵＥの測定情報に従って決定されるより完全且つ正確な信号強度特性を示す。測定制御メッセージはこれらのＵＥに送信され、これにより、これらのＵＥは統計時間内に少なくとも１つの測定レポートを報告する。本発明の実施例では、測定レポートがＵＥが配置されるエリアの測定情報を着実に反映することを保証するため、ＵＥに対応する統計時間が、エリアの範囲及びＵＥの移動時間に従って選択されてもよい。例えば、５００メータのエリア範囲において、１０ｍ／ｓの移動速度のＵＥについて、ＵＥの統計時間は５０ｓを超過しない。上記は単なる例示であり、本発明の本実施例はこれに限定されないことが留意されるべきである。
【０１３０】
ＵＥの測定レポートは、測定された各セルの信号強度測定値を有し、ここで、測定されたセルは以下の少なくとも１つ、第１のセル、第１のセルのＲＡＴ内周波数内近傍セル、第１のセルのＲＡＴ内周波数間近傍セル、又は第１のセルのＲＡＴ間近傍セルであってもよい。同一のＵＥの複数の測定レポートに含まれる測定されたセルは、同一又は異なるものであってもよい。同一のＵＥの複数の測定レポートにおける同一の測定されたセルの信号強度測定値は、同一又は異なるものであってもよい。
【０１３１】
例えば、同一のＵＥの２つの測定レポート、それぞれ測定レポート１及び測定レポート２が統計時間内に受信され、第１のセルがＵＭＴＳセル１である具体例が利用される。
【０１３２】
測定レポート１における測定されたセル及びセルの信号強度測定値は、（ＵＭＴＳセル１，ＲＳＣＰ＝−９５ｄＢｍ），（ＵＭＴＳ周波数内近傍セル２，ＲＳＣＰ＝−１１０ｄＢｍ），（ＵＭＴＳ周波数内近傍セル３，ＲＳＣＰ＝−１００ｄＢｍ），（ＵＭＴＳ周波数内近傍セル４，ＲＳＣＰ＝−９８ｄＢｍ），（ＵＭＴＳ周波数間近傍セル５，ＲＳＣＰ＝−１０５ｄＢｍ），（近傍ＧＳＭセル１，ＲｘＬｅｖ＝２０），（近傍ＧＳＭセル２，ＲｘＬｅｖ＝１０），（ＬＴＥ近傍セル１，ＲＳＲＰ＝−１３０ｄＢｍ）及び（ＬＴＥ近傍セル２，−１１０ｄＢｍ）である。
【０１３３】
測定レポート２における測定されたセル及びセルの信号強度測定値は、（ＵＭＴＳセル１，ＲＳＣＰ＝−１００ｄＢｍ），（ＵＭＴＳ周波数内近傍セル３，ＲＳＣＰ＝−９８ｄＢｍ），（ＵＭＴＳ周波数内近傍セル４，ＲＳＣＰ＝−１００ｄＢｍ），（ＵＭＴＳ周波数間近傍セル６，ＲＳＣＰ＝−１０８ｄＢｍ），（近傍ＧＳＭセル１，ＲｘＬｅｖ＝２０），（ＬＴＥ近傍セル１，ＲＳＲＰ＝−１３０ｄＢｍ）及び（ＬＴＥ近傍セル３，−１２０ｄＢｍ）である。
【０１３４】
ＵＭＴＳセル１のＲＳＣＰは、測定レポート１における−９５ｄＢｍ及び測定レポート２における−１００ｄＢｍであり、近傍ＧＳＭセル１のＲｘＬｅｖは、測定レポート１及び測定レポート２の双方において２０であり、ここでは列記されない。上記は単なる例示であり、本発明の本実施例はこれに限定されないことが留意されるべきである。
【０１３５】
第１のセルセットにおけるセルの信号強度は、１つのＵＥの１つの測定レポートを利用することによって取得されてもよいし、又は１つのＵＥの複数の測定レポート又は異なるＵＥの複数の測定レポートを利用することによって取得されてもよい。取得された測定レポートにおける測定されたセルが第１のセルセットにおける全てのセルを有することを保証するため、取得された測定レポートにおける測定されたセルが第１のセルセットにおける全てのセルを有すると決定されるまで、第１のセルにおけるＵＥの測定レポートが繰り返し収集されてもよい。
【０１３６】
ステップ４０１２：セルにおける少なくとも１つのＵＥのものであって、ステップ４０１１において取得された測定レポートに従って、第１のセルセットにおけるセルの信号強度特性を決定する。
【０１３７】
セルにおける少なくとも１つのＵＥのものであって、ステップ４０１１において取得された測定レポートに従って、第１のセルセットにおけるセルの信号強度特性を決定することは、複数の方式で実現されてもよい。
【０１３８】
例えば、第１のセルセットにおけるセルについて、対応するセルの少なくとも１つの信号強度測定値が少なくとも１つのＵＥの取得された測定レポートから取得される。対応するセルの信号強度範囲は、セルの信号強度測定値における最小値及び最大値を利用することによって決定されてもよい。例えば、それは（最小値−αから最大値＋βまで）であってもよく、ここで、α及びβは０以上の所定の数値である。
【０１３９】
他の具体例について、同一のＵＥの異なる測定レポートにおける同一のセルの信号強度測定値の数が１より大きい場合、フィルタリング処理が、セルの信号強度に対してＵＥにより実行される測定の統計値を取得するため、同一のＵＥの異なる測定レポートにおけるセルの信号強度測定値に対して実行されてもよい。フィルタリング処理は平均フィルタリング処理及びαフィルタリング処理を含むものであってもよいことが留意されるべきである。当業者は、フィルタリング処理が従来技術におけるものと整合していると理解してもよく、本発明において詳細は再紹介されない。同一のＵＥの異なる測定レポートにおける同一のセルの信号強度測定値の数が１つのみである場合、信号強度測定値は、セルの信号強度に対してＵＥにより実行される測定の統計値として利用される。このとき、セルの信号強度区間は、セルの信号強度に対して異なるＵＥにより実行される測定の統計値における最小値及び最大値に従って決定される。
【０１４０】
一例となる説明の簡単化のため、ステップ４０１１におけるＵＥの測定レポート１及び測定レポート２が依然として具体例として利用される。上記の方法によると、測定されたセルの信号強度に対してＵＥにより実行される測定の統計値は、（ＵＭＴＳセル１，ＲＳＣＰ＝−９８ｄＢｍ），（ＵＭＴＳ周波数内近傍セル２，ＲＳＣＰ＝−１１０ｄＢｍ），（ＵＭＴＳ周波数内近傍セル３，ＲＳＣＰ＝−９９ｄＢｍ），（ＵＭＴＳ周波数内近傍セル４，ＲＳＣＰ＝−９９ｄＢｍ），（ＵＭＴＳ周波数間近傍セル５，ＲＳＣＰ＝−１０５ｄＢｍ），（ＵＭＴＳ周波数間近傍セル６，ＲＳＣＰ＝−１０８ｄＢｍ），（近傍のＧＳＭセル１，ＲｘＬｅｖ＝２０），（近傍のＧＳＭセル２，ＲｘＬｅｖ＝１０）、（ＬＴＥ近傍セル１，ＲＳＲＰ＝−１３０ｄＢｍ），（ＬＴＥ近傍セル２，−１１０ｄＢｍ）及び（ＬＴＥ近傍セル３，−１２０ｄＢｍ）である。ＵＭＴＳセル１は測定レポート１及び測定レポート２の双方におけるＲＳＣＰ測定値を有し、ＵＭＴＳセル１のものであって、フィルタリングにより取得されるＲＳＲＰ統計結果は−９８ｄＢｍである。ＵＭＴＳ周波数内近傍セル２は測定レポート１におけるＲＳＣＰ測定値を有するが、測定レポート２において対応するＲＳＣＰ測定値を有さない。ＵＭＴＳ周波数内近傍セル２のＲＳＣＰ測定統計値は、測定レポート１におけるＵＭＴＳ周波数内近傍セル２のＲＳＣＰ測定値であってもよく、すなわち、ＲＳＣＰ＝−１１０ｄＢｍである。他の測定されたセルのＲＳＣＰ測定統計値は列記されない。それはここでは単なる一例となる説明であり、本発明の本実施例はこれに限定されないことが留意されるべきである。
【０１４１】
第１のセルセットにおけるセルの信号強度情報に従って第１のセルを分割することにより取得される第１のモビリティ管理ユニットについて、第１のセルセットにおけるセルのものであって、第１のセルにおけるＵＥから取得される信号強度に従って、ＵＥが第１のモビリティ管理ユニットに存在するか決定されてもよい。
【０１４２】
例えば、ＵＥの測定レポートにおける第１のセルセットにおける近傍セルのものと同じタイプの測定されたセルは、信号強度測定値に従って降順にソートされる。最初のＮ個の測定されたセルが第１のセルセットにおけるＮ個の全ての近傍セルと同じであり、ここで、Ｎは正の整数であり、第１のセルセットにおける近傍セルの数である場合、ＵＥの測定レポートにおける第１のセル及び最初のＮ個の測定されたセルの信号強度に従って、ＵＥが第１のモビリティ管理ユニットに存在するか決定されてもよい。
【０１４３】
例えば、第１のモビリティ管理ユニットが第１のセルセットにおけるセルの信号強度範囲に従ってＵＭＴＳセル１を分割することによって取得されるエリアである具体例を利用して、第１のセルセットは、ＵＭＴＳセル１及び２つの周波数内近傍セルを有し、（ＵＭＴＳセル１，ＵＭＴＳ周波数内近傍セル３，ＵＭＴＳ周波数内近傍セル４）である。ＵＭＴＳセル１におけるＵＥ１の測定レポートにおける測定されたセルの信号強度測定値は、（ＵＭＴＳセル１，ＲＳＣＰ＝−９８ｄＢｍ），（ＵＭＴＳ周波数内近傍セル２，ＲＳＣＰ＝−１１０ｄＢｍ），（ＵＭＴＳ周波数内近傍セル３，ＲＳＣＰ＝−９９ｄＢｍ），（ＵＭＴＳ周波数内近傍セル４，ＲＳＣＰ＝−１０６ｄＢｍ），（ＵＭＴＳ周波数間近傍セル５，ＲＳＣＰ＝−１０５ｄＢｍ），（ＵＭＴＳ周波数間近傍セル６，ＲＳＣＰ＝−１０８ｄＢｍ），（近傍のＧＳＭセル１，ＲｘＬｅｖ＝２０），（近傍のＧＳＭセル２，ＲｘＬｅｖ＝１０）、（ＬＴＥ近傍セル１，ＲＳＲＰ＝−１３０ｄＢｍ），（ＬＴＥ近傍セル２，−１１０ｄＢｍ）及び（ＬＴＥ近傍セル３，−１２０ｄＢｍ）である。ＵＥ１の測定レポートにおいて、最初の２つのＵＭＴＳ周波数内近傍セルが（ＵＭＴＳ周波数内近傍セル３，ＲＳＣＰ＝−９９ｄＢｍ）及び（ＵＭＴＳ周波数内近傍セル４，ＲＳＣＰ＝−１０６ｄＢｍ）であり、第１のセルセットにおける２つの近傍セルと同じであることを知ることができる。第１のモビリティ管理ユニットは、第１のセルセット（ＵＭＴＳセル１，ＵＭＴＳ周波数内近傍セル３，ＵＭＴＳ周波数内近傍セル４）におけるセルの信号強度範囲に従って分割することにより取得されるエリアであり、すなわち、第１のモビリティ管理ユニットは分割することにより取得されるエリアであり、ここで、ＵＭＴＳセル１のＲＳＣＰは（−１００ｄＢｍ〜−９０ｄＢｍ）であり、ＵＭＴＳ周波数内近傍セル３のＲＳＣＰは（−１０５ｄＢｍ〜−９５ｄＢｍ）であり、ＵＭＴＳ周波数内セル４のＲＳＣＰは（−１１０ｄＢｍ〜−１００ｄＢｍ）である。従って、ＵＥが第１のモビリティ管理ユニットに存在すると決定されてもよい。上記は単なる例示であり、本発明の本実施例はこれに限定されないことが留意されるべきである。
【０１４４】
他の具体例について、第１のモビリティ管理ユニットが、第１のセルセットにおける第１のセルの信号強度範囲及び第１のセルの近傍セルの信号強度比較関係に従ってＵＭＴＳセル１を分割することにより取得されるエリアである具体例を利用して、第１のセルセットは、ＵＭＴＳセル１及び３つの周波数内近傍セルを有し、（ＵＭＴＳセル１，ＵＭＴＳ周波数内近傍セル２，ＵＭＴＳ周波数内近傍セル３，ＵＭＴＳ周波数内近傍セル４）である。第１のモビリティ管理ユニットは分割することにより取得されるエリアであり、ここで、ＵＭＴＳセル１のＲＳＣＰは（−１００ｄＢｍ〜−９０ｄＢｍ）であり、ＵＭＴＳ周波数内近傍セル２のＲＳＣＰはＵＭＴＳ周波数内近傍セル３のＲＳＣＰ以下であり、ＵＭＴＳ周波数内近傍セル４のＲＳＣＰはＵＭＴＳ周波数内近傍セル３のＲＳＣＰ以下である。ＵＥ１の測定レポートでは、ＵＭＴＳセル１のＲＳＣＰは−９５ｄＢｍであり、ＵＭＴＳ周波数内近傍セル２のＲＳＣＰは−１０８ｄＢｍであり、ＵＭＴＳ周波数内近傍セル３のＲＳＣＰは−１００ｄＢｍであり、ＵＭＴＳ周波数内近傍セル４のＲＳＣＰは−１０５ｄＢｍであり、すなわち、ＵＭＴＳセル１のＲＳＣＰは（−１００ｄＢｍ〜−９０ｄＢｍ）の範囲内であり、ＵＭＴＳ周波数内近傍セル２のＲＳＣＰはＵＭＴＳ周波数内近傍セル３のＲＳＣＰ以下であり、ＵＭＴＳ周波数内近傍セル４のＲＳＣＰはＵＭＴＳ周波数内近傍セル３のＲＳＣＰ以下である。従って、ＵＥが第１のモビリティ管理ユニットに存在すると決定されてもよい。上記は単なる例示であり、本発明の本実施例はこれに限定されないことが留意されるべきである。
【０１４５】
当該ステップでは、第１のセルにおける少なくとも１つのＵＥについて、上記の方法に従って、ＵＥが第１のモビリティ管理ユニットに存在すると別々に決定されてもよい。ＵＥの数は必要に応じて決定されてもよく、本発明の本実施例はこれに限定されない。
【０１４６】
ステップ４０２：第１のモビリティ管理ユニットにおけるＵＥのものであって、ステップ４０１において決定される測定統計情報に従って第１のモビリティ管理ユニットの無線ネットワーク情報を決定し、ここで、無線ネットワーク情報は、以下の情報の少なくとも１つのタイプ、第１のモビリティ管理ユニットにおける第１のセルの信号強度情報、第１のモビリティ管理ユニットにおける第１のセルの少なくとも１つの近傍セルの信号強度情報、又は第１のモビリティ管理ユニットにおける少なくとも１つのキー・パフォーマンス・インジケータＫＰＩの統計値を有する。
【０１４７】
第１のモビリティ管理ユニットの無線ネットワーク情報は、第１のモビリティ管理ユニットにおけるＵＥのものであって、ステップ４０１において決定される測定統計情報に従って決定される。上記の方法の実施例の対応するステップ１０２における説明が参照されてもよく、ここでは詳細は再説明されない。
【０１４８】
実際の適用では、一旦決定された後、第１のモビリティ管理ユニットの無線ネットワーク情報は、実際の状況に従って以降において再利用されるか、又は更新されてもよい。
【０１４９】
本発明の本実施例における方法を利用することによって、セルにおける無線ネットワーク情報を取得及び管理する粒度はモビリティ管理ユニット毎であり、複雑なセルカバレッジ環境について、セルの異なるエリア間の近傍セルに関する相違及びセルの異なるエリア間の干渉に関する相違が良好に指定できる。
【０１５０】
さらに、複数の通信ネットワークに関する情報を包括的に取得するため、当該方法は更に以下の任意的なステップを有してもよい。
【０１５１】
ステップ４０３：第１のモビリティ管理ユニットが第２のモビリティ管理ユニットを有すると決定し、ここで、第２のモビリティ管理ユニットは第２のセルを分割することにより取得されるセルであり、第２のセル及び第１のセルは同一のシステムに属するセル、又は異なるシステムに属するセルであってもよい。
【０１５２】
第２のモビリティ管理ユニットのカバレッジエリアは、第２のセルのものより小さいか、又は等しい。第１のモビリティ管理ユニットが第２のモビリティ管理ユニットを有するということは、第２のモビリティ管理ユニットが第１のモビリティ管理ユニットより小さく、第１のモビリティ管理ユニット内に配置されるか、又は、第２のモビリティ管理ユニットが第１のモビリティ管理ユニットと同じであるということであってもよい。第２のモビリティ管理ユニットは、複数の方式で第２のセルを分割することにより取得されてもよい。第１のモビリティ管理ユニットがステップ１０１において第１のセルを分割することにより取得される方式の説明が参照されてもよい。第２のモビリティ管理ユニットは、カバーされるエリアのエリア特性を有する。第２のモビリティ管理ユニットの第１のセルセットにおけるセルの信号強度情報に従って、第１のモビリティ管理ユニットが第２のモビリティ管理ユニットを有すると決定されてもよく、ここで、第２のモビリティ管理ユニットの第１のセルセットにおけるセルの信号強度情報が第２のモビリティ管理ユニットの無線ネットワーク情報から取得されてもよい。
【０１５３】
上記の方法の実施例の対応するステップ１０３における説明が参照されてもよく、ここでは詳細は再説明されない。
【０１５４】
ステップ４０４：第２のモビリティ管理ユニットの無線ネットワーク情報と第１のモビリティ管理ユニットの無線ネットワーク情報とを合成する。
【０１５５】
第２のモビリティ管理ユニットの無線ネットワーク情報は、ステップ４０１〜４０２における方式で決定されてもよいし、又はステップ４０１〜４０４における方式で決定されてもよい。
【０１５６】
第２のモビリティ管理ユニットの無線ネットワーク情報は、複数の方式で第１のモビリティ管理ユニットの無線ネットワーク情報と合成されてもよい。上記の方法の実施例の対応するステップ１０４における説明が参照されてもよく、ここでは詳細は再説明されない。
【０１５７】
本発明の本実施例における方法では、様々な規格における同一のエリアについて決定された無線ネットワーク情報が、統一された管理のための１つのモビリティ管理ユニットに合成され、これにより、モビリティ管理ユニットの無線ネットワーク情報は、複数の規格の通信ネットワークが全てカバーされるとき、より完全なものとなりうる。
【０１５８】
さらに、ステップ４０２又はステップ４０４に基づき、当該方法は更に以下の任意的なステップを有してもよい。
【０１５９】
ステップ４０５：第１のモビリティ管理ユニットの無線ネットワーク情報に従って無線リソース管理を実行する。
【０１６０】
上記の方法の実施例のステップ１０５における説明が参照されてもよく、ここでは詳細は再説明されない。
【０１６１】
本発明の本実施例における方法を利用することによって、ＵＥが配置されるモビリティ管理ユニットの無線ネットワークカバレッジ情報に従って無線リソース管理が実行され、近傍セルに関するＵＥの測定結果を待機する必要がなく、これにより、アクセス又はハンドオーバの遅延を低減し、セルの異なるエリアにおける相違から生じるＵＥの不完全な測定情報により生じる誤った判断を防ぎ、ユーザ体感を向上させる。
【０１６２】
上記の方法は複数のタイプのネットワーク装置を利用することにより実現されてもよく、例えば、ＲＮＣ、ＢＳＣ、ｅＮｏｄｅＢ又はＡＣなどの基地局装置を利用することにより実現されてもよいし、又は集中制御装置を利用することにより実現されてもよいことが留意されるべきである。集中制御装置が実現のため利用されるとき、集中制御装置が上記の基地局装置の少なくとも１つに接続され、基地局装置がセルの所定の情報及びＵＥの測定情報を集中制御装置に転送する点で相違がある。
【０１６３】
図９は、本発明の他の実施例によるネットワーク情報管理方法を示し、当該方法は、ユーザ装置ＵＥを利用することにより実現されてもよい。図９に示されるように、図示される方法は以下を有する。
【０１６４】
ステップ９０１：ＵＥは、第１のセルにおけるネットワーク装置の制御情報を受信し、ここで、制御メッセージは、ＵＥが配置される第１のモビリティ管理ユニットの無線ネットワーク情報に従ってネットワーク装置により決定され、第１のモビリティ管理ユニットは第１のセルを分割することにより取得されるエリアであり、第１のモビリティ管理ユニットの無線ネットワーク情報は、以下の情報の少なくとも１つのタイプ、第１のモビリティ管理ユニットにおける第１のセルの信号強度情報、第１のモビリティ管理ユニットにおける第１のセルの少なくとも１つの近傍セルの信号強度情報、又は第１のモビリティ管理ユニットにおける少なくとも１つのキー・パフォーマンス・インジケータＫＰＩの統計値を有する。
【０１６５】
第１のモビリティ管理ユニットは、第１のセルの地理的位置情報に従って第１のセルを分割することによりネットワーク装置により取得されるエリアであってもよい。上記の方法の実施例の対応するステップにおける説明が参照されてもよく、ここでは詳細は再説明されない。
【０１６６】
第１のモビリティ管理ユニットはまた、第１のセルセットにおけるセルの信号強度特性に従って分割することによりネットワーク装置により取得されるエリアであってもよく、ここで、第１のセルセットは第１のセルを少なくとも有してもよく、また第１のセル及び第１のセルの少なくとも１つの近傍セルを有してもよく、ここで、近傍セルは以下の近傍セルの少なくとも１つのタイプ、第１のセルのＲＡＴ内周波数内近傍セル、第１のセルのＲＡＴ内周波数間近傍セル、又は第１のセルのＲＡＴ間近傍セルを有してもよい。第１のセルセットにおけるセルの信号強度特性は、以下の少なくとも１つ、第１のセルセットにおけるセルの信号強度範囲、又は第１のセルセットにおけるセルの信号強度比較関係を有する。上記の方法の実施例の対応するステップにおける説明が参照されてもよく、ここでは詳細は再説明されない。
【０１６７】
ＵＥが配置される第１のモビリティ管理ユニットは、上記の方法の実施例におけるステップ１０２を参照することによって、ネットワーク装置により決定されてもよく、ここでは詳細は再説明されない。
【０１６８】
第１のモビリティ管理ユニットの無線ネットワーク情報は、上記の方法の実施例における方法のステップに従ってネットワーク装置により決定される。
【０１６９】
ステップ９０２：ＵＥは、ステップ９０１において受信した制御情報に従って第１のセル又は第１のセルの近傍セルにおけるアクセス又はハンドオーバを完了する。
【０１７０】
本発明の本実施例における方法を利用することによって、ＵＥは、近傍セルの測定を開始する必要がなく、代わりに、ネットワーク装置は、ＵＥが配置されるモビリティ管理ユニットの無線ネットワーク情報に従って無線リソース管理を直接実行し、これにより、アクセス又はハンドオーバの遅延を低減し、ユーザ体感を向上させる。
【０１７１】
図１０は、本発明の他の実施例によるネットワーク装置の装置構成を示す。本発明の本実施例において提供されるネットワーク装置は、本発明の上記の方法の実施例を実現してもよい。図１０に示されるように、ネットワーク装置は、第１の決定ユニット１００１及び第２の決定ユニット１００２を有する。
【０１７２】
第１の決定ユニット１００１は、ユーザ装置ＵＥが第１のモビリティ管理ユニットに存在すると決定するよう構成される。第１のモビリティ管理ユニットは第１のセルを分割することにより取得されるエリアである。第１のセルは、例えば、ＧＳＭシステム、ＵＭＴＳシステム又はＬＴＥシステムなどの何れかの規格の通信システムにおけるセルであってもよい。
【０１７３】
第１のモビリティ管理ユニットのカバレッジエリアは、第１のセルのものより小さいか、又は等しく、第１のセルにおける細分化されたエリアに従ってＵＥに対して差別的モビリティ管理を実行するのに利用されてもよい。
【０１７４】
第１のモビリティ管理ユニットは、複数の方式で第１のセルを分割することによって取得されてもよく、第１のモビリティ管理ユニットは、カバーされたエリアのエリア特性を有する。
【０１７５】
例えば、第１のモビリティ管理ユニットは、第１のセルの地理的位置情報に従って第１のセルを分割することによって取得されるエリアであってもよい。可能な実現方式では、第１のセルの地理的位置情報は、経度区間及び緯度区間であってもよい。少なくとも１つの経度サブ区間及び少なくとも１つの緯度サブ区間は、第１のセルの経度区間及び緯度区間を分割することによって取得される。第１のモビリティ管理ユニットの地理的範囲は、経度サブ区間の１つ及び緯度サブ区間の１つによって決定されてもよい。
【０１７６】
第１のセルの地理的位置情報に従って第１のセルを分割することにより取得される第１のモビリティ管理ユニットについて、第１の決定ユニット１００１は、具体的には、第１のセルにおける少なくとも１つのＵＥが配置される地理的位置が第１のモビリティ管理ユニットの地理的範囲内にある場合、ＵＥが第１のモビリティ管理ユニットに存在すると決定するよう構成される。
【０１７７】
他の具体例について、第１のモビリティ管理ユニットは、第１のセルセットにおけるセルの信号強度特性に従って第１のセルを分割することにより取得されるエリアであってもよい。第１のセルセットは第１のセルを少なくとも有してもよい。おそらく、第１のセルセットはまた、第１のセル及び第１のセルの少なくとも１つの近傍セルを有してもよく、ここで、近傍セルは、以下の近傍セルの少なくとも１つのタイプ、第１のセルのＲＡＴ内周波数内近傍セル、第１のセルのＲＡＴ内周波数間近傍セル、又は第１のセルのＲＡＴ間近傍セルを有してもよい。第１のセルセットにおけるセルの信号強度特性は、以下の少なくとも１つ、第１のセルセットにおけるセルの信号強度範囲、又は第１のセルセットにおけるセルの信号強度比較関係を有する。例えば、第１のモビリティ管理ユニットは、第１のセルセットにおけるセルの信号強度範囲に従って第１のセルを分割することにより取得されるエリアであってもよい。セルの信号強度範囲は、信号強度サブ区間を取得するため別々に分割される。第１のモビリティ管理ユニットの第１のセルセットにおけるセルの信号強度範囲は、対応するセルの信号強度サブ区間によって別々に決定される。他の具体例について、第１のモビリティ管理ユニットは、第１のセルセットにおけるセルの信号強度比較関係に従って第１のセルを分割することにより取得されるエリアであってもよい。他の具体例について、第１のモビリティ管理ユニットは、第１のセルセットにおけるセルの信号強度比較関係及び第１のセルセットにおけるセルの信号強度範囲に従って第１のセルを分割することによって取得されるエリアであってもよい。上記は単なる例示であり、本発明の本実施例はこれに限定されないことが留意されるべきである。
【０１７８】
異なる規格のセルについて、信号強度は異なる方式で表されてもよい。例えば、ＧＳＭセルについて、信号強度は受信信号レベル（Ｒｅｃｅｉｖｅｄ  Ｓｉｇｎａｌ  Ｌｅｖｅｌ，ＲｘＬｅｖ）により表され、ＵＭＴＳセルについて、信号強度はｄＢｍ（ｄＢｍ）の単位により受信信号コード電力（Ｒｅｃｅｉｖｅｄ  Ｓｉｇｎａｌ  Ｃｏｄｅ  Ｐｏｗｅｒ，ＲＳＣＰ）により表されてもよいし、又は、ｄＢ（ｄＢ）の単位によりトータルの受信電力密度に対するチップ毎のエネルギーの比（Ｒａｔｉｏ  ｏｆ  ｅｎｅｒｇｙ  ｐｅｒ  ｃｈｉｐ  ｔｏ  ｔｈｅ  ｔｏｔａｌ  ｒｅｃｅｉｖｅｄ  ｐｏｗｅｒ  ｄｅｎｓｉｔｙ，Ｅｃ／Ｉｏ）により表されてもよく、ＬＴＥセルについて、信号強度は、ｄＢｍ（ｄＢｍ）の単位によりリファレンス信号受信電力（Ｒｅｆｅｒｅｎｃｅ  Ｓｉｇｎａｌ  Ｒｅｃｅｉｖｉｎｇ  Ｐｏｗｅｒ，ＲＳＲＰ）により表されてもよいし、又は、ｄＢ（ｄＢ）の単位によりリファレンス信号受信品質（Ｒｅｆｅｒｅｎｃｅ  Ｓｉｇｎａｌ  Ｒｅｃｅｉｖｉｎｇ  Ｑｕａｌｉｔｙ，ＲＳＲＱ）により表されてもよい。それはここでは列記されず、本発明の本実施例はこれに限定されない。
【０１７９】
第１のセルセットにおけるセルの信号強度特性に従って第１のセルを分割することにより取得される第１のモビリティ管理ユニットについて、第１の決定ユニット１００１は、具体的には、第１のセルセットにおけるセルのものであって、第１のセルセットにおけるＵＥから取得される信号強度に従って、ＵＥが第１のモビリティ管理ユニットに存在するか決定するよう構成される。
【０１８０】
例えば、第１のモビリティ管理ユニットは、第１のセルセットにおけるセルの信号強度範囲に従って第１のセルを分割することにより取得されるエリアである。第１の決定ユニット１００１は、具体的には、第１のセルセットにおけるセルのものであって、少なくとも１つのＵＥから取得される信号強度がそれぞれ第１のモビリティ管理ユニットの第１のセルセットにおける対応するセルの信号強度範囲内である場合、ＵＥが第１のモビリティ管理ユニットに存在すると決定するよう構成される。
【０１８１】
他の具体例について、第１のモビリティ管理ユニットは、第１のセルセットにおけるセルの信号強度比較関係に従って第１のセルを分割することにより取得されるエリアである。第１の決定ユニット１００１は、具体的には、第１のセルセットにおけるセルのものであって、少なくとも１つのＵＥから取得された信号強度の比較関係が第１のモビリティ管理ユニットの第１のセルセットにおける対応するセルの信号強度比較関係を充たす場合、ＵＥが第１のモビリティ管理ユニットに存在すると決定するよう構成される。
【０１８２】
他の具体例について、第１のモビリティ管理ユニットは、第１のセルセットにおけるセルの信号強度範囲及び第１のセルセットにおけるセルの信号強度比較関係に従って第１のセルを分割することにより取得されるエリアである。第１の決定ユニット１００１は、具体的には、第１のセルセットにおけるセルのものであって、少なくとも１つのＵＥから取得される信号強度がそれぞれ、第１のモビリティ管理ユニットの第１のセルセットにおける対応するセルの信号強度範囲内であって、且つ第１のセルセットにおけるセルのものであって、少なくとも１つのＵＥから取得された信号強度の比較関係が、第１のモビリティ管理ユニットの第１のセルセットにおける対応するセルの信号強度比較関係を充たす場合、ＵＥが第１のモビリティ管理ユニットに存在すると決定するよう構成される。
【０１８３】
第１のモビリティ管理ユニットが第１のセルを分割することにより取得される方式と、ＵＥが第１のモビリティ管理ユニットに存在するという決定とは、上記の方法の実施例に紹介されており、ここでは詳細は再説明されない。
【０１８４】
第２の決定ユニット１００２は、第１のモビリティ管理ユニットにおけるＵＥのものであって、第１の決定ユニット１００１により決定された測定統計情報に従って第１のモビリティ管理ユニットの無線ネットワーク情報を決定するよう構成され、ここで、無線ネットワーク情報は、以下の情報の少なくとも１つのタイプ、第１のモビリティ管理ユニットにおける第１のセルの信号強度情報、第１のモビリティ管理ユニットにおける第１のセルの少なくとも１つの近傍セルの信号強度情報、又は第１のモビリティ管理ユニットにおける少なくとも１つのキー・パフォーマンス・インジケータＫＰＩの統計値を有してもよい。
【０１８５】
ＫＰＩは、以下の少なくとも１つ、コールドロップ率、チャネル利用率、ハンドオーバ成功率又はアクセス成功率であってもよい。
【０１８６】
具体的には、第２の決定ユニット１００２が第１のモビリティ管理ユニットの無線ネットワーク情報を決定する方式について、上記の方法の実施例における関連する説明を参照されたく、ここでは詳細は再説明されない。
【０１８７】
本発明の本実施例におけるネットワーク装置を利用することによって、セルにおいて無線ネットワーク情報を取得及び管理する粒度はモビリティ管理ユニット毎であり、複雑なセルカバレッジ環境について、セルの異なるエリア間の近傍セルに関する相違及びセルの異なるエリア間の干渉に関する相違が良好に指定及び管理可能である。
【０１８８】
さらに、複数の通信ネットワークに関する情報を包括的に取得するため、ネットワーク装置は更に、以下の任意的なユニット、第３の決定ユニット１００３及び情報合成ユニット１００４を有してもよい。
【０１８９】
第３の決定ユニット１００３は、第１のモビリティ管理ユニットが第２のモビリティ管理ユニットを有すると決定するよう構成され、ここで、第２のモビリティ管理ユニットは第２のセルを分割することにより取得されるエリアであり、第２のセル及び第１のセルは、同一のシステムに属するセル、又は異なるシステムに属するセルであってもよい。例えば、第１のセルはＧＳＭセル１であり、第２のセルはＵＭＴＳセル１であるか、又は、第１のセルはＬＴＥセル１であり、第２のセルはＬＴＥセル２である。
【０１９０】
第２のモビリティ管理ユニットのカバレッジエリアは、第２のセルのものより小さいか、又は等しい。第１のモビリティ管理ユニットが第２のモビリティ管理ユニットを有するということは、第２のモビリティ管理ユニットが第１のモビリティ管理ユニットより小さく、第１のモビリティ管理ユニット内に配置されるか、又は、第２のモビリティ管理ユニットが第１のモビリティ管理ユニットと同じであるということであってもよい。第２のモビリティ管理ユニットは、複数の方式で第２のセルを分割することによって取得されてもよく、第２のモビリティ管理ユニットは、カバーされたエリアのエリア特性を有する。
【０１９１】
例えば、第２のモビリティ管理ユニットは、第２のセルの地理的位置情報に従って第２のセルを分割することにより取得されるエリアであってもよいし、又は、第２のモビリティ管理ユニットは、第２のセルセットにおけるセルの信号強度特性に従って第２のセルを分割することにより取得されるエリアであってもよい。分割方式について、上記の方法の実施例における説明を参照されたく、ここでは詳細は再説明されない。
【０１９２】
具体的には、第３の決定ユニット１００３が第１のモビリティ管理ユニットが第２のモビリティ管理ユニットを有すると決定する方式について、上記の方法の実施例における関連する説明を参照されたく、ここでは詳細は再説明されない。
【０１９３】
情報合成ユニット１００４は、第２のモビリティ管理ユニットの無線ネットワーク情報と第１のモビリティ管理ユニットの無線ネットワーク情報とを合成するよう構成され、ここで、第２のモビリティ管理ユニットの無線ネットワーク情報は、上記の方法の実施例における説明に従って決定されてもよく、ここでは詳細は再説明されない。
【０１９４】
具体的には、情報合成ユニット１００４が第２のモビリティ管理ユニットの無線ネットワーク情報と第１のモビリティ管理ユニットの無線ネットワーク情報とを合成する方式について、上記の方法の実施例における関連する説明が参照されたく、ここでは詳細は再説明されない。
【０１９５】
本発明の本実施例におけるネットワーク装置では、様々な規格における同一のエリアについて決定される無線ネットワーク情報は、統一された管理のため１つのモビリティ管理ユニットに合成され、これにより、モビリティ管理ユニットの無線ネットワーク情報は、複数の規格の通信ネットワークが全てカバーされるとき、より完全になりうる。
【０１９６】
さらに、ネットワーク装置は更に、以下の任意的なユニット、
第１のモビリティ管理ユニットの無線ネットワーク情報に従って無線リソース管理を実行するよう構成されるリソース管理ユニット１００５を有してもよい。
【０１９７】
リソース管理ユニット１００５は、具体的には、第１のセル又は第１のセルの近傍セルにおけるアクセス又はハンドオーバを完了するように、第１のモビリティ管理ユニットにおけるＵＥを制御するよう構成され、ここで、第１のセルの近傍セル及び第１のセルは、同一のシステムに属するセル、又は異なるシステムに属するセルであってもよい。
【０１９８】
具体的には、リソース管理ユニット１００５が無線リソース管理を実行する方式について、上記の方法の実施例における関連する説明を参照されたく、ここでは詳細は再説明されない。
【０１９９】
本発明の本実施例におけるネットワーク装置を利用することによって、ＵＥが配置されるモビリティ管理ユニットの無線ネットワーク情報に従って無線リソース管理が実行され、近傍セルに関するＵＥの測定結果を待機する必要がなく、これにより、アクセス又はハンドオーバの遅延を低減し、ユーザ体感を向上させる。
【０２００】
上記のユニットの間の特定のインタラクション処理について、方法の実施例における説明を参照されたく、ここでは詳細は再説明されない。
【０２０１】
本発明の本実施例では、上記のユニットはプロセッサなどを利用することによって実現されてもよい。
【０２０２】
本発明の本実施例におけるネットワーク装置は、ＲＮＣ、ＢＳＣ、ｅＮｏｄｅＢ又はＡＣなどの少なくとも１つのタイプの基地局装置であってもよいし、又は集中制御装置であってもよい。ネットワーク装置が集中制御装置であるとき、集中制御装置は、ＲＮＣ、ＢＳＣ、ｅＮｏｄｅＢ又はＡＣなどの少なくとも１つの基地局装置に接続されてもよく、基地局装置は地理的位置情報や近傍セルなどのセルの所定の情報及びＵＥの測定情報を集中制御装置に転送する点で相違がある。
【０２０３】
図１１は、本発明の他の実施例によるユーザ装置ＵＥを示す。図１１に示されるように、ユーザ装置ＵＥは、
ネットワーク装置の制御情報を受信するよう構成される受信ユニット１１０１と、
第１のセルにおいて受信ユニット１１０１により受信された制御情報に従って第１のセル又は第１のセルの近傍セルにおけるアクセス又はハンドオーバを完了するよう構成される処理ユニット１１０２であって、制御情報は、ＵＥが配置される第１のモビリティ管理ユニットの無線ネットワーク情報に従ってネットワーク装置により決定される、処理ユニット１１０２と、
を有する。
【０２０４】
第１のモビリティ管理ユニットの無線ネットワーク情報は、以下の情報の少なくとも１つのタイプ、第１のモビリティ管理ユニットにおける第１のセルの信号強度情報、第１のモビリティ管理ユニットにおける第１のセルの少なくとも１つの近傍セルの信号強度情報、又は第１のモビリティ管理ユニットにおける少なくとも１つのキー・パフォーマンス・インジケータＫＰＩの統計値を有する。
【０２０５】
第１のモビリティ管理ユニット及びそれの無線ネットワーク情報は、上記の方法の実施例における方法ステップに従ってネットワーク装置により決定され、ＵＥが配置される第１のモビリティ管理ユニットはまた、上記の方法の実施例を参照することによってネットワーク装置により決定される。
【０２０６】
これは上記の方法の実施例において説明されており、従って、ここでは詳細は再説明されない。
【０２０７】
本発明の本実施例におけるＵＥを利用することによって、近傍セルの測定を開始する必要がなくなり、代わりに、ネットワーク装置は、ＵＥが配置されるモビリティ管理ユニットの無線ネットワーク情報に従って無線リソース管理を直接実行し、これにより、アクセス又はハンドオーバの遅延を低減し、ユーザ体感を向上させる。
【０２０８】
図１２は、本発明の他の実施例によるネットワーク装置を示す。図１２に示されるように、本実施例におけるネットワーク装置は、メモリ１２０１及びメモリ１２０１に接続されるプロセッサ１２０２を有し、ここで、メモリ１２０１はプログラムコードセットを記憶し、メモリ１２０１は不揮発性メモリ（Ｎｏｎ−ｖｏｌａｔｉｌｅ  Ｍｅｍｏｒｙ）を有してもよい。プロセッサ１２０２は、中央処理ユニット（Ｃｅｎｔｒａｌ  Ｐｒｏｃｅｓｓｉｎｇ  Ｕｎｉｔ，略してＣＰＵ）又は特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，略してＡＳＩＣ）であってもよいし、又は本発明の実施例を実現する１以上の集積回路であるよう構成されてもよい。プロセッサ１２０２は、メモリ１２０１に記憶されるプログラムコードを呼び出し、以下の処理、
ユーザ装置ＵＥが第１のモビリティ管理ユニットに存在すると決定し、ここで、第１のモビリティ管理ユニットは第１のセルを分割することにより取得されるエリアであり、第１のセルは、例えば、ＧＳＭシステム、ＵＭＴＳシステム又はＬＴＥシステムにおけるセルなど、何れかの規格の通信システムにおけるセルであってもよく、
第１のモビリティ管理ユニットにおけるＵＥの測定統計情報に従って第１のモビリティ管理ユニットの無線ネットワーク情報を決定し、ここで、無線ネットワーク情報は、以下の情報の少なくとも１つのタイプ、第１のモビリティ管理ユニットにおける第１のセルの信号強度情報、第１のモビリティ管理ユニットにおける第１のセルの少なくとも１つの近傍セルの信号強度情報、又は第１のモビリティ管理ユニットにおける少なくとも１つのＫＰＩの統計値を有する、
を実行するよう構成される。
【０２０９】
ＫＰＩは、以下の少なくとも１つ、コールドロップ率、チャネル利用率、ハンドオーバ成功率又はアクセス成功率であってもよい。
【０２１０】
任意的には、以下の処理、
第１のモビリティ管理ユニットが第２のモビリティ管理ユニットを有すると決定し、ここで、第２のモビリティ管理ユニットは第２のセルを分割することにより取得されるエリアであり、
第２のモビリティ管理ユニットの無線ネットワーク情報と第１のモビリティ管理ユニットの無線ネットワーク情報とを合成する、
ことが更に含まれてもよい。
【０２１１】
任意的には、上記の処理と、上記の処理及び任意的な処理とに基づき、以下の処理、
第１のモビリティ管理ユニットの無線ネットワーク情報に従って無線リソース管理を実行する、
ことが更に含まれてもよい。
【０２１２】
無線リソース管理は、第１のセル又は第１のセルの近傍セルにおけるアクセス又はハンドオーバを完了させるよう第１のモビリティ管理ユニットにおけるＵＥを制御することを有し、ここで、第１のセルの近傍セル及び第１のセルは、同一のシステムに属するセル、又は異なるシステムに属するセルであってもよい。
【０２１３】
メモリ１２０１に記憶されるプログラムコードを呼び出すことによってプロセッサ１２０２により具体的に実現される技術的解決策について、上記の方法の実施例を参照されたく、それの実現原理及び技術的効果は同様であることが留意されるべきである。詳細について、上記の実施例における関連する記録を参照されたく、ここでは詳細は再説明されない。
【０２１４】
図１３は、本発明の他の実施例によるユーザ装置ＵＥを示す。図１３に示されるように、ユーザ装置ＵＥは、
ネットワーク装置の制御情報を受信及び送信するよう構成される送受信機１３０１と、
第１のセルにおいて送受信機１３０１により受信された制御情報に従って第１のセル又は第１のセルの近傍セルにおけるアクセス又はハンドオーバを完了するよう構成されるプロセッサ１３０２であって、制御メッセージは、ＵＥが配置される第１のモビリティ管理ユニットの無線ネットワーク情報に従ってネットワーク装置により決定される、プロセッサ１３０２とを有する。第１のモビリティ管理ユニットの無線ネットワーク情報は、以下の情報の少なくとも１つのタイプ、第１のモビリティ管理ユニットにおける第１のセルの信号強度情報、第１のモビリティ管理ユニットにおける第１のセルの少なくとも１つの近傍セルの信号強度情報、又は第１のモビリティ管理ユニットにおける少なくとも１つのキー・パフォーマンス・インジケータＫＰＩの統計値を有する。
【０２１５】
第１のモビリティ管理ユニット及びそれの無線ネットワーク情報は、上記の方法の実施例における方法ステップに従ってネットワーク装置により決定され、ＵＥが配置される第１のモビリティ管理ユニットはまた、上記の方法の実施例を参照することによってネットワーク装置により決定され、ここでは詳細は再説明されない。
【０２１６】
本発明の本実施例におけるＵＥを利用することによって、近傍セルの測定を開始する必要がなくなり、代わりに、ネットワーク装置は、ＵＥが配置されるモビリティ管理ユニットの無線ネットワークカバレッジ情報に従って無線リソース管理を直接実行し、これにより、アクセス又はハンドオーバの遅延を低減し、ユーザ体感を向上させる。
【０２１７】
上記の実施例の説明によって、当業者は、本発明がハードウェア、ファームウェア又はこれらの組み合わせにより実現されてもよいことを明確に理解しうる。本発明がソフトウェアにより実現されるとき、上記の機能は、コンピュータ可読媒体に記憶されてもよいし、又はコンピュータ可読媒体における１つ以上の命令又はコードとして送信されてもよい。コンピュータ可読媒体は、コンピュータ記憶媒体及び通信媒体を有し、ここで、通信媒体は、コンピュータプログラムがある場所から他の場所に送信されることを可能にする何れかの媒体を含む。記憶媒体は、コンピュータにアクセス可能な何れか利用可能な媒体であってもよい。以下は、具体例を提供するが、限定を課すものでない。コンピュータ可読媒体は、ＲＡＭ、ＲＯＭ、ＥＥＰＲＯＭ、ＣＤ−ＲＯＭ又は他の光ディスクストレージ、又はディスク記憶媒体、又は他の磁気記憶装置、又は命令又はデータ構造の形態で期待されるプログラムコードを搬送又は記憶することが可能であって、コンピュータによりアクセス可能な他の何れかの媒体を含むものであってもよい。さらに、何れかの接続がコンピュータ可読媒体として適切に定義されてもよい。例えば、ソフトウェアが、同軸ケーブル、光ファイバ／ケーブル、ツイストペア、デジタル加入者線（ＤＳＬ）、又は赤外線、電波及びマイクロ波などの無線技術を利用することによって、ウェブサイト、サーバ又は他のリモートソースから送信される場合、同軸ケーブル、光ファイバ／ケーブル、ツイストペア、ＤＳＬ、又は赤外線、電波及びマイクロ波などの無線技術は、それらが属する媒体の固定に含まれる。例えば、本発明により利用されるディスク（Ｄｉｓｋ）及びディスク（ｄｉｓｃ）は、コンパクトディスク（ＣＤ）、レーザディスク、光ディスク、デジタル多用途ディスク（ＤＶＤ）、フロッピーディスク及びブルーレイディスクを含み、ここで、ディスクは一般に磁気手段によりデータを複製し、ディスクはレーザ手段によりデータを光学的に複製する。上記の組み合わせはまた、コンピュータ可読媒体の保護範囲に含まれるべきである。
【０２１８】
要約すると、上述されたものは、本発明の技術的解決策の単なる例示的な実施例であり、本発明の保護範囲を限定することを意図していない。本発明の精神及び原理から逸脱することなくなされる何れかの修正、等価な置換又は改善は、本発明の保護範囲内に属する。
【図１】
2016518082.tif 000004
【図２】
2016518082.tif 000005
【図３】
2016518082.tif 000006
【図４】
2016518082.tif 000007
【図５】
2016518082.tif 000008
【図６】
2016518082.tif 000009
【図７】
2016518082.tif 000010
【図８】
2016518082.tif 000011
【図９】
2016518082.tif 000012
【図１０】
2016518082.tif 000013
【図１１】
2016518082.tif 000014
【図１２】
2016518082.tif 000015
【図１３】
2016518082.tif 000016
【手続補正書】
【提出日】平成28年1月18日(2016.1.18)
【手続補正１】
【補正対象書類名】特許請求の範囲
【補正対象項目名】全文
【補正方法】変更
【補正の内容】
【特許請求の範囲】
【請求項１】
無線ネットワーク情報管理方法であって、当該方法は、
ネットワーク装置が、ユーザ装置（ＵＥ）が第１のモビリティ管理ユニットに存在すると決定するステップであって、前記第１のモビリティ管理ユニットは第１のセルを分割することにより取得されるエリアである、決定するステップと、
前記ネットワーク装置が、前記第１のモビリティ管理ユニットにおける前記ＵＥの測定統計情報に従って前記第１のモビリティ管理ユニットの無線ネットワーク情報を決定するステップであって、前記無線ネットワーク情報は、以下の情報の少なくとも１つのタイプ、前記第１のモビリティ管理ユニットにおける前記第１のセルの信号強度情報、前記第１のモビリティ管理ユニットにおける前記第１のセルの近傍セルの信号強度情報、又は前記第１のモビリティ管理ユニットにおけるキー・パフォーマンス・インジケータ（ＫＰＩ）の統計値を有する、決定するステップと、
を有する方法。
【請求項２】
前記第１のモビリティ管理ユニットは、第１のセルセットにおけるセルの信号強度特性に従って前記第１のセルを分割することにより取得されるエリアであり、前記第１のセルセットは前記第１のセルを有し、
前記ネットワーク装置が、前記ＵＥが第１のモビリティ管理ユニットに存在すると決定するステップは、
前記ネットワーク装置が、前記第１のセルセットにおけるセルのものであって、前記ＵＥから取得される信号強度に従って、前記ＵＥが前記第１のモビリティ管理ユニットに存在すると決定するステップを有する、請求項１記載の方法。
【請求項３】
前記第１のセルセットにおけるセルの信号強度特性は、前記第１のセルセットにおけるセルの信号強度範囲を有し、
前記ネットワーク装置が、前記第１のセルセットにおけるセルのものであって、前記第１のセルにおける前記ＵＥから取得される信号強度に従って、前記ＵＥが前記第１のモビリティ管理ユニットに存在すると決定するステップは、
前記第１のセルセットにおけるセルのものであって、前記ＵＥから取得される信号強度が前記第１のモビリティ管理ユニットの前記第１のセルセットにおける対応するセルの信号強度範囲内である場合、前記ネットワーク装置が、前記ＵＥが前記第１のモビリティ管理ユニットに存在すると決定するステップを有する、請求項２記載の方法。
【請求項４】
前記第１のセルセットにおけるセルの信号強度特性は、前記第１のセルセットにおけるセルの信号強度比較関係を有し、
前記ネットワーク装置が、前記第１のセルセットにおけるセルのものであって、前記第１のセルにおける前記ＵＥから取得される信号強度に従って、前記ＵＥが前記第１のモビリティ管理ユニットに存在すると決定するステップは、
前記第１のセルセットにおけるセルのものであって、前記ＵＥから取得された信号強度の比較関係が前記第１のモビリティ管理ユニットの前記第１のセルセットにおける対応するセルの信号強度比較関係を充たす場合、前記ネットワーク装置が、前記ＵＥが前記第１のモビリティ管理ユニットに存在すると決定するステップを有する、請求項２記載の方法。
【請求項５】
前記第１のセルセットにおけるセルの信号強度特性は、前記第１のセルセットにおけるセルの信号強度範囲と、前記第１のセルセットにおけるセルの信号強度比較関係とを有し、
前記ネットワーク装置が、前記第１のセルセットにおけるセルのものであって、前記第１のセルにおける前記ＵＥから取得される信号強度に従って、前記ＵＥが前記第１のモビリティ管理ユニットに存在すると決定するステップは、
前記第１のセルセットにおけるセルのものであって、前記ＵＥから取得される信号強度が前記第１のモビリティ管理ユニットの前記第１のセルセットにおける対応するセルの信号強度範囲内であって、且つ前記第１のセルセットにおけるセルのものであって、前記ＵＥから取得された信号強度の比較関係が前記第１のモビリティ管理ユニットの前記第１のセルセットにおける対応するセルの信号強度比較関係を充たす場合、前記ネットワーク装置が、前記ＵＥが前記第１のモビリティ管理ユニットに存在すると決定するステップを有する、請求項２記載の方法。
【請求項６】
前記第１のモビリティ管理ユニットは、前記第１のセルの地理的位置情報に従って前記第１のセルを分割することによって取得されるエリアであり、
前記ネットワーク装置が、ＵＥが第１のモビリティ管理ユニットに存在すると決定するステップは、
前記ＵＥが配置される地理的位置が前記第１のモビリティ管理ユニットの地理的範囲内である場合、前記ネットワーク装置が、前記ＵＥが前記第１のモビリティ管理ユニットに存在すると決定するステップを有する、請求項１記載の方法。
【請求項７】
当該方法は更に、
前記ネットワーク装置が、前記第１のモビリティ管理ユニットが第２のモビリティ管理ユニットを有すると決定するステップであって、前記第２のモビリティ管理ユニットは第２のセルを分割することにより取得されるエリアである、決定するステップと、
前記ネットワーク装置が、前記第２のモビリティ管理ユニットの無線ネットワーク情報と前記第１のモビリティ管理ユニットの無線ネットワーク情報とを合成するステップと、
を有する、請求項１乃至６何れか一項記載の方法。
【請求項８】
無線ネットワーク情報管理方法であって、当該方法は、
ユーザ装置（ＵＥ）が、第１のセルにおけるネットワーク装置の制御情報を受信するステップであって、前記制御情報は、前記ＵＥが配置される第１のモビリティ管理ユニットの無線ネットワーク情報に従って前記ネットワーク装置により決定され、前記第１のモビリティ管理ユニットは前記第１のセルを分割することにより取得されるエリアであり、前記第１のモビリティ管理ユニットの無線ネットワーク情報は、以下の情報の少なくとも１つのタイプ、前記第１のモビリティ管理ユニットにおける前記第１のセルの信号強度情報、前記第１のモビリティ管理ユニットにおける前記第１のセルの近傍セルの信号強度情報、又は前記第１のモビリティ管理ユニットにおけるキー・パフォーマンス・インジケータ（ＫＰＩ）の統計値を有する、受信するステップと、
前記ＵＥが、前記制御情報に従って前記第１のセル又は前記第１のセルの前記近傍セルにおいてアクセス又はハンドオーバを完了するステップと、
を有する方法。
【請求項９】
前記第１のモビリティ管理ユニットは、第１のセルセットにおけるセルの信号強度特性に従って前記第１のセルを分割することにより前記ネットワーク装置によって取得されるエリアであり、前記第１のセルセットは前記第１のセルを有する、請求項８記載の方法。
【請求項１０】
前記第１のセルセットにおけるセルの信号強度特性は、以下の少なくとも１つ、前記第１のセルセットにおけるセルの信号強度範囲、又は前記第１のセルセットにおけるセルの信号強度比較関係を有する、請求項９記載の方法。
【請求項１１】
前記第１のモビリティ管理ユニットは、前記第１のセルの地理的位置情報に従って前記第１のセルを分割することによって前記ネットワーク装置により取得されるエリアである、請求項８記載の方法。
【請求項１２】
ネットワーク装置であって、当該ネットワーク装置は、
ユーザ装置（ＵＥ）が第１のモビリティ管理ユニットに存在すると決定するよう構成される第１の決定ユニットであって、前記第１のモビリティ管理ユニットは第１のセルを分割することにより取得されるエリアである、第１の決定ユニットと、
前記第１のモビリティ管理ユニットにおける前記ＵＥの測定統計情報に従って前記第１のモビリティ管理ユニットの無線ネットワーク情報を決定するよう構成される第２の決定ユニットであって、前記無線ネットワーク情報は、以下の情報の少なくとも１つのタイプ、前記第１のモビリティ管理ユニットにおける前記第１のセルの信号強度情報、前記第１のモビリティ管理ユニットにおける前記第１のセルの近傍セルの信号強度情報、又は前記第１のモビリティ管理ユニットにおけるキー・パフォーマンス・インジケータ（ＫＰＩ）の統計値を有する、第２の決定ユニットと、
を有するネットワーク装置。
【請求項１３】
前記第１のモビリティ管理ユニットは、第１のセルセットにおけるセルの信号強度特性に従って前記第１のセルを分割することにより取得されるエリアであり、前記第１のセルセットは前記第１のセルを有し、
前記第１の決定ユニットは、前記第１のセルセットにおけるセルのものであって、前記ＵＥから取得される信号強度に従って、前記ＵＥが前記第１のモビリティ管理ユニットに存在すると決定するよう構成される、請求項１２記載のネットワーク装置。
【請求項１４】
前記第１のセルセットにおけるセルの信号強度特性は、前記第１のセルセットにおけるセルの信号強度範囲を有し、
前記第１の決定ユニットは、前記第１のセルセットにおけるセルのものであって、前記ＵＥから取得される信号強度が前記第１のモビリティ管理ユニットの前記第１のセルセットにおける対応するセルの信号強度範囲内である場合、前記ＵＥが前記第１のモビリティ管理ユニットに存在すると決定するよう構成される、請求項１３記載のネットワーク装置。
【請求項１５】
前記第１のセルセットにおけるセルの信号強度特性は、前記第１のセルセットにおけるセルの信号強度比較関係を有し、
前記第１の決定ユニットは、
前記第１のセルセットにおけるセルのものであって、前記ＵＥから取得された信号強度の比較関係が前記第１のモビリティ管理ユニットの前記第１のセルセットにおける対応するセルの信号強度比較関係を充たす場合、前記ＵＥが前記第１のモビリティ管理ユニットに存在すると決定するよう構成される、請求項１３記載のネットワーク装置。
【請求項１６】
前記第１のセルセットにおけるセルの信号強度特性は、前記第１のセルセットにおけるセルの信号強度範囲と、前記第１のセルセットにおけるセルの信号強度比較関係とを有し、
前記第１の決定ユニットは、
前記第１のセルセットにおけるセルのものであって、前記ＵＥから取得される信号強度が前記第１のモビリティ管理ユニットの前記第１のセルセットにおける対応するセルの信号強度範囲内であって、且つ前記第１のセルセットにおけるセルのものであって、前記ＵＥから取得された信号強度の比較関係が前記第１のモビリティ管理ユニットの前記第１のセルセットにおける対応するセルの信号強度比較関係を充たす場合、前記ＵＥが前記第１のモビリティ管理ユニットに存在すると決定するよう構成される、請求項１３記載のネットワーク装置。
【請求項１７】
前記第１のモビリティ管理ユニットは、前記第１のセルの地理的位置情報に従って前記第１のセルを分割することによって取得されるエリアであり、
前記第１の決定ユニットは、前記ＵＥが配置される地理的位置が前記第１のモビリティ管理ユニットの地理的範囲内である場合、前記ＵＥが前記第１のモビリティ管理ユニットに存在すると決定するよう構成される、請求項１２記載のネットワーク装置。
【請求項１８】
当該ネットワーク装置は更に、
前記第１のモビリティ管理ユニットが第２のモビリティ管理ユニットを有すると決定するよう構成される第３の決定ユニットであって、前記第２のモビリティ管理ユニットは第２のセルを分割することにより取得されるエリアである、第３の決定ユニットと、
前記第２のモビリティ管理ユニットの無線ネットワーク情報と前記第１のモビリティ管理ユニットの無線ネットワーク情報とを合成するよう構成される情報合成ユニットと、
を有する、請求項１２乃至１７何れか一項記載のネットワーク装置。
【請求項１９】
当該ネットワーク装置は、以下の少なくとも１つ、無線ネットワークコントローラ（ＲＮＣ）、基地局コントローラ（ＢＳＣ）、進化型ノードＢ（ｅＮｏｄｅＢ）、アクセスコントローラ（ＡＣ）又は集中制御装置を有する、請求項１２乃至１８何れか一項記載のネットワーク装置。
【請求項２０】
ユーザ装置（ＵＥ）であって、当該ＵＥは、
ネットワーク装置の制御情報を受信するよう構成される受信ユニットと、
第１のセルにおいて前記受信ユニットにより受信された制御情報に従って前記第１のセル又は前記第１のセルの近傍セルにおけるアクセス又はハンドオーバを完了するよう構成される処理ユニットであって、前記制御情報は、前記ＵＥが配置される第１のモビリティ管理ユニットの無線ネットワーク情報に従って前記ネットワーク装置により決定され、前記第１のモビリティ管理ユニットの無線ネットワーク情報は、以下の情報の少なくとも１つのタイプ、前記第１のモビリティ管理ユニットにおける前記第１のセルの信号強度情報、前記第１のモビリティ管理ユニットにおける前記第１のセルの近傍セルの信号強度情報、又は前記第１のモビリティ管理ユニットにおけるキー・パフォーマンス・インジケータ（ＫＰＩ）の統計値を有する、処理ユニットと、
を有するユーザ装置。
【請求項２１】
前記第１のモビリティ管理ユニットは、第１のセルセットにおけるセルの信号強度特性に従って分割することにより前記ネットワーク装置によって取得されるエリアであり、前記第１のセルセットは前記第１のセルを有する、請求項２０記載のユーザ装置。
【請求項２２】
前記第１のセルセットにおけるセルの信号強度特性は、以下の少なくとも１つ、前記第１のセルセットにおけるセルの信号強度範囲、又は前記第１のセルセットにおけるセルの信号強度比較関係を有する、請求項２１記載のユーザ装置。
【請求項２３】
前記第１のモビリティ管理ユニットは、前記第１のセルの地理的位置情報に従って前記第１のセルを分割することによって前記ネットワーク装置により取得されるエリアである、請求項２０記載のユーザ装置。
【請求項２４】
請求項１乃至１１何れか一項記載の方法をコンピュータに実行させるプログラム。
【手続補正２】
【補正対象書類名】明細書
【補正対象項目名】０００３
【補正方法】変更
【補正の内容】
【０００３】
ＨｅｔＮｅｔにおけるマクロセル又はマイクロセルであるセルのカバレッジエリアは大きい。例えば、マクロセルのカバレッジ半径は５００メータから２５キロメータである一方、マイクロセルのカバレッジ半径は約３０メータから３００メータである。高い建物からの屈折／ブロック、周波数内リピータ、及び周波数内マクロ及びマイクロハイブリッドネットワークなどの無線環境の複雑さのため、セルの異なるエリアに対する差別的管理を実行することは困難であり、ネットワーク全体のものである最大容量及び最良のキー・パフォーマンス・インジケータ（Ｋｅｙ  Ｐｅｒｆｏｒｍａｎｃｅ  Ｉｎｄｉｃａｔｏｒ，ＫＰＩ）が保証できない。
【手続補正３】
【補正対象書類名】明細書
【補正対象項目名】００１７
【補正方法】変更
【補正の内容】
【００１７】
第２の態様によると、無線ネットワーク情報管理方法が提供され、
ユーザ装置ＵＥが、第１のセルにおけるネットワーク装置の制御情報を受信するステップであって、前記制御情報は、前記ＵＥが配置される第１のモビリティ管理ユニットの無線ネットワーク情報に従って前記ネットワーク装置により決定され、前記第１のモビリティ管理ユニットは前記第１のセルを分割することにより取得されるエリアであり、前記第１のモビリティ管理ユニットの無線ネットワーク情報は、以下の情報の少なくとも１つのタイプ、前記第１のモビリティ管理ユニットにおける前記第１のセルの信号強度情報、前記第１のモビリティ管理ユニットにおける前記第１のセルの少なくとも１つの近傍セルの信号強度情報、又は前記第１のモビリティ管理ユニットにおける少なくとも１つのキー・パフォーマンス・インジケータＫＰＩの統計値を有する、受信するステップと、
前記ＵＥが、前記制御情報に従って前記第１のセル又は前記第１のセルの近傍セルにおいてアクセス又はハンドオーバを完了するステップと、
を有する。
【手続補正４】
【補正対象書類名】明細書
【補正対象項目名】００３５
【補正方法】変更
【補正の内容】
【００３５】
第４の態様によると、ユーザ装置ＵＥが提供され、当該ユーザ装置ＵＥは、
ネットワーク装置の制御情報を受信するよう構成される受信ユニットと、
第１のセルにおいて前記受信ユニットにより受信された制御情報に従って前記第１のセル又は前記第１のセルの近傍セルにおけるアクセス又はハンドオーバを完了するよう構成される処理ユニットであって、前記制御情報は、前記ＵＥが配置される第１のモビリティ管理ユニットの無線ネットワーク情報に従って前記ネットワーク装置により決定され、前記第１のモビリティ管理ユニットの無線ネットワーク情報は、以下の情報の少なくとも１つのタイプ、前記第１のモビリティ管理ユニットにおける前記第１のセルの信号強度情報、前記第１のモビリティ管理ユニットにおける前記第１のセルの少なくとも１つの近傍セルの信号強度情報、又は前記第１のモビリティ管理ユニットにおける少なくとも１つのキー・パフォーマンス・インジケータＫＰＩの統計値を有する、処理ユニットと、
を有する。
【手続補正５】
【補正対象書類名】明細書
【補正対象項目名】００５４
【補正方法】変更
【補正の内容】
【００５４】
他の具体例について、第１のモビリティ管理ユニットは、第１のセルセットにおけるセルの信号強度比較関係に従って第１のセルを分割することにより取得されるエリアである。第１のセルセットにおけるセルのものであって、第１のセルにおける少なくとも１つのＵＥから取得される信号強度の比較関係が、第１のモビリティ管理ユニットの第１のセルセットにおける対応するセルの信号強度比較関係を充たす場合、ＵＥが第１のモビリティ管理ユニットに存在すると決定されてもよい。例えば、第１のセルはＧＳＭセル１であり、第１のセルの近傍セルはＧＳＭセル２及びＧＳＭセル３であり、第１のセルセットは（ＧＳＭセル１，ＧＳＭセル２，ＧＳＭセル３）であり、第１のモビリティ管理ユニットは、ＧＳＭセル１のＲｘＬｅｖがＧＳＭセル２のＲｘＬｅｖより大きく、ＧＳＭセル１のＲｘＬｅｖがＧＳＭセル３のＲｘＬｅｖより大きいエリアである。ＵＥにより測定されるＧＳＭセル１のＲｘＬｅｖが４０であり、ＵＥにより測定されるＧＳＭセル２のＲｘＬｅｖが２０であり、ＵＥにより測定されるＧＳＭセル３のＲｘＬｅｖが２５である場合、すなわち、第１のセルセットにおけるセルのものであって、ＵＥが配置される位置において測定される信号強度比較関係が、第１のモビリティ管理ユニットの第１のセルセットにおける対応するセルの信号強度比較関係を充たす場合、ＵＥが第１のモビリティ管理ユニットに存在すると決定されてもよい。
【手続補正６】
【補正対象書類名】明細書
【補正対象項目名】００６３
【補正方法】変更
【補正の内容】
【００６３】
表１は第１のモビリティ管理ユニットの無線ネットワーク情報である
【表１】
2016518082.tif 000017
本発明の上記の実施例において列記されたものは単なる例示であり、本発明はこれに限定されないことが留意されるべきである。表１もまた単なる例示であり、本発明はこれに限定されない。
【手続補正７】
【補正対象書類名】明細書
【補正対象項目名】００７０
【補正方法】変更
【補正の内容】
【００７０】
例えば、第１のモビリティ管理ユニットは、第１のセルの地理的位置情報に従って第１のセルを分割することにより取得され、第２のモビリティ管理ユニットは、第２のセルの地理的位置情報に従って第２のセルを分割することにより取得される。第１のモビリティ管理ユニットの地理的範囲が第２のモビリティ管理ユニットの地理的範囲を含む場合、第１のモビリティ管理ユニットは第２のモビリティ管理ユニットを含むと決定される。例えば、第１のモビリティ管理ユニットの地理的範囲が、経度サブ区間（１１６．１２３４５°〜１１６．１２５４５°）及び緯度サブ区間（９０．１２３４６°〜９０．１２８４６°）であり、第２のモビリティ管理ユニットの地理的範囲が、経度サブ区間（１１６．１２３４５°〜１１６．１２５４５°）及び緯度サブ区間（９０．１２３４６°〜９０．１２８４６°）である。すなわち、第１のモビリティ管理ユニットの地理的範囲における経度サブ区間は、第２のモビリティ管理ユニットの経度サブ区間より大きいか、又は等しく、第１のモビリティ管理ユニットの地理的範囲における緯度サブ区間は、第２のモビリティ管理ユニットの緯度サブ区間より大きいか、又は等しい。従って、第１のモビリティ管理ユニットは第２のモビリティ管理ユニットを有すると決定されてもよい。
【手続補正８】
【補正対象書類名】明細書
【補正対象項目名】０１３２
【補正方法】変更
【補正の内容】
【０１３２】
測定レポート１における測定されたセル及びセルの信号強度測定値は、（ＵＭＴＳセル１，ＲＳＣＰ＝−９５ｄＢｍ），（ＵＭＴＳ周波数内近傍セル２，ＲＳＣＰ＝−１１０ｄＢｍ），（ＵＭＴＳ周波数内近傍セル３，ＲＳＣＰ＝−１００ｄＢｍ），（ＵＭＴＳ周波数内近傍セル４，ＲＳＣＰ＝−９８ｄＢｍ），（ＵＭＴＳ周波数間近傍セル５，ＲＳＣＰ＝−１０５ｄＢｍ），（近傍ＧＳＭセル１，ＲｘＬｅｖ＝２０），（近傍ＧＳＭセル２，ＲｘＬｅｖ＝１０），（ＬＴＥ近傍セル１，ＲＳＲＰ＝−１３０ｄＢｍ）及び（ＬＴＥ近傍セル２，ＲＳＲＰ＝−１１０ｄＢｍ）である。
【手続補正９】
【補正対象書類名】明細書
【補正対象項目名】０１３３
【補正方法】変更
【補正の内容】
【０１３３】
測定レポート２における測定されたセル及びセルの信号強度測定値は、（ＵＭＴＳセル１，ＲＳＣＰ＝−１００ｄＢｍ），（ＵＭＴＳ周波数内近傍セル３，ＲＳＣＰ＝−９８ｄＢｍ），（ＵＭＴＳ周波数内近傍セル４，ＲＳＣＰ＝−１００ｄＢｍ），（ＵＭＴＳ周波数間近傍セル６，ＲＳＣＰ＝−１０８ｄＢｍ），（近傍ＧＳＭセル１，ＲｘＬｅｖ＝２０），（ＬＴＥ近傍セル１，ＲＳＲＰ＝−１３０ｄＢｍ）及び（ＬＴＥ近傍セル３，ＲＳＲＰ＝−１２０ｄＢｍ）である。
【手続補正１０】
【補正対象書類名】明細書
【補正対象項目名】０１４０
【補正方法】変更
【補正の内容】
【０１４０】
一例となる説明の簡単化のため、ステップ４０１１におけるＵＥの測定レポート１及び測定レポート２が依然として具体例として利用される。上記の方法によると、測定されたセルの信号強度に対してＵＥにより実行される測定の統計値は、（ＵＭＴＳセル１，ＲＳＣＰ＝−９８ｄＢｍ），（ＵＭＴＳ周波数内近傍セル２，ＲＳＣＰ＝−１１０ｄＢｍ），（ＵＭＴＳ周波数内近傍セル３，ＲＳＣＰ＝−９９ｄＢｍ），（ＵＭＴＳ周波数内近傍セル４，ＲＳＣＰ＝−９９ｄＢｍ），（ＵＭＴＳ周波数間近傍セル５，ＲＳＣＰ＝−１０５ｄＢｍ），（ＵＭＴＳ周波数間近傍セル６，ＲＳＣＰ＝−１０８ｄＢｍ），（近傍のＧＳＭセル１，ＲｘＬｅｖ＝２０），（近傍のＧＳＭセル２，ＲｘＬｅｖ＝１０）、（ＬＴＥ近傍セル１，ＲＳＲＰ＝−１３０ｄＢｍ），（ＬＴＥ近傍セル２，ＲＳＲＰ＝−１１０ｄＢｍ）及び（ＬＴＥ近傍セル３，ＲＳＲＰ＝−１２０ｄＢｍ）である。ＵＭＴＳセル１は測定レポート１及び測定レポート２の双方におけるＲＳＣＰ測定値を有し、ＵＭＴＳセル１のものであって、フィルタリングにより取得されるＲＳＲＰ統計結果は−９８ｄＢｍである。ＵＭＴＳ周波数内近傍セル２は測定レポート１におけるＲＳＣＰ測定値を有するが、測定レポート２において対応するＲＳＣＰ測定値を有さない。ＵＭＴＳ周波数内近傍セル２のＲＳＣＰ測定統計値は、測定レポート１におけるＵＭＴＳ周波数内近傍セル２のＲＳＣＰ測定値であってもよく、すなわち、ＲＳＣＰ＝−１１０ｄＢｍである。他の測定されたセルのＲＳＣＰ測定統計値は列記されない。それはここでは単なる一例となる説明であり、本発明の本実施例はこれに限定されないことが留意されるべきである。
【手続補正１１】
【補正対象書類名】明細書
【補正対象項目名】０１４３
【補正方法】変更
【補正の内容】
【０１４３】
例えば、第１のモビリティ管理ユニットが第１のセルセットにおけるセルの信号強度範囲に従ってＵＭＴＳセル１を分割することによって取得されるエリアである具体例を利用して、第１のセルセットは、ＵＭＴＳセル１及び２つの周波数内近傍セルを有し、（ＵＭＴＳセル１，ＵＭＴＳ周波数内近傍セル３，ＵＭＴＳ周波数内近傍セル４）である。ＵＭＴＳセル１におけるＵＥ１の測定レポートにおける測定されたセルの信号強度測定値は、（ＵＭＴＳセル１，ＲＳＣＰ＝−９８ｄＢｍ），（ＵＭＴＳ周波数内近傍セル２，ＲＳＣＰ＝−１１０ｄＢｍ），（ＵＭＴＳ周波数内近傍セル３，ＲＳＣＰ＝−９９ｄＢｍ），（ＵＭＴＳ周波数内近傍セル４，ＲＳＣＰ＝−１０６ｄＢｍ），（ＵＭＴＳ周波数間近傍セル５，ＲＳＣＰ＝−１０５ｄＢｍ），（ＵＭＴＳ周波数間近傍セル６，ＲＳＣＰ＝−１０８ｄＢｍ），（近傍のＧＳＭセル１，ＲｘＬｅｖ＝２０），（近傍のＧＳＭセル２，ＲｘＬｅｖ＝１０）、（ＬＴＥ近傍セル１，ＲＳＲＰ＝−１３０ｄＢｍ），（ＬＴＥ近傍セル２，ＲＳＲＰ＝−１１０ｄＢｍ）及び（ＬＴＥ近傍セル３，ＲＳＲＰ＝−１２０ｄＢｍ）である。ＵＥ１の測定レポートにおいて、最初の２つのＵＭＴＳ周波数内近傍セルが（ＵＭＴＳ周波数内近傍セル３，ＲＳＣＰ＝−９９ｄＢｍ）及び（ＵＭＴＳ周波数内近傍セル４，ＲＳＣＰ＝−１０６ｄＢｍ）であり、第１のセルセットにおける２つの近傍セルと同じであることを知ることができる。第１のモビリティ管理ユニットは、第１のセルセット（ＵＭＴＳセル１，ＵＭＴＳ周波数内近傍セル３，ＵＭＴＳ周波数内近傍セル４）におけるセルの信号強度範囲に従って分割することにより取得されるエリアであり、すなわち、第１のモビリティ管理ユニットは分割することにより取得されるエリアであり、ここで、ＵＭＴＳセル１のＲＳＣＰは（−１００ｄＢｍ〜−９０ｄＢｍ）であり、ＵＭＴＳ周波数内近傍セル３のＲＳＣＰは（−１０５ｄＢｍ〜−９５ｄＢｍ）であり、ＵＭＴＳ周波数内セル４のＲＳＣＰは（−１１０ｄＢｍ〜−１００ｄＢｍ）である。従って、ＵＥが第１のモビリティ管理ユニットに存在すると決定されてもよい。上記は単なる例示であり、本発明の本実施例はこれに限定されないことが留意されるべきである。
【手続補正１２】
【補正対象書類名】明細書
【補正対象項目名】０１６４
【補正方法】変更
【補正の内容】
【０１６４】
ステップ９０１：ＵＥは、第１のセルにおけるネットワーク装置の制御情報を受信し、ここで、制御情報は、ＵＥが配置される第１のモビリティ管理ユニットの無線ネットワーク情報に従ってネットワーク装置により決定され、第１のモビリティ管理ユニットは第１のセルを分割することにより取得されるエリアであり、第１のモビリティ管理ユニットの無線ネットワーク情報は、以下の情報の少なくとも１つのタイプ、第１のモビリティ管理ユニットにおける第１のセルの信号強度情報、第１のモビリティ管理ユニットにおける第１のセルの少なくとも１つの近傍セルの信号強度情報、又は第１のモビリティ管理ユニットにおける少なくとも１つのキー・パフォーマンス・インジケータＫＰＩの統計値を有する。
【国際調査報告】
2016518082.tif 000018
2016518082.tif 000019
2016518082.tif 000020
2016518082.tif 000021